(57)【特許請求の範囲】
【請求項１】
送信サブフレームにおいて周波数多重化された第１の複数のリソースブロックを受信することと、ここで、前記第１の複数のリソースブロックが全送信帯域幅未満にわたり、前記第１の複数のリソースブロックが、第１の時間間隔におけるユーザ機器（ＵＥ）制御チャネルと、第２の時間間隔におけるリレー制御チャネルおよび第１の複数の専用基準シンボルと、第３の時間間隔における共有データチャネルおよび第２の複数の専用基準シンボルとを備える、
前記リレー制御チャネルからリレー制御情報を復号することと、
前記共有データチャネルからリレーデータとユーザデータとを復号することと
を備え、
ＵＥ制御情報と前記ユーザデータとをユーザ機器にフォワーディングすることをさらに備える、方法。
【請求項２】
前記第２の時間間隔が、前記リレー制御チャネルから前記リレー制御情報を復号するように構成された複数の共通基準シンボルをさらに備える、請求項１に記載の方法。
【請求項３】
前記第１の複数の専用基準シンボルが、前記共有データチャネルから前記リレーデータを復号するように構成された、請求項２に記載の方法。
【請求項４】
前記第２の複数の専用基準シンボルが、前記共有データチャネルから前記リレーデータを復号するように構成された、請求項３に記載の方法。
【請求項５】
前記第１の複数の専用基準シンボルおよび前記第２の複数の専用基準シンボルが、マルチレイヤ送信モードをサポートするように構成された、請求項１に記載の方法。
【請求項６】
前記第１の複数のおよび前記第２の複数の専用基準シンボルが、リレー制御チャネルのないリソースブロック中の専用基準シンボルに一致するようにスクランブルされ、電力制御される、請求項１に記載の方法。
【請求項７】
前記第１の複数の専用基準シンボルが、前記リレー制御チャネルから前記リレー制御情報を復号するように構成され、前記第２の複数の専用基準シンボルが、前記共有データチャネルから前記リレーデータを復号するように構成された、請求項１に記載の方法。
【請求項８】
前記第１の複数のおよび前記第２の複数の専用基準シンボルが、前記リレー制御チャネルから前記リレー制御情報を復号するように構成された、請求項１に記載の方法。
【請求項９】
前記第１の複数のおよび前記第２の複数の専用基準シンボルが、前記共有データチャネルから前記リレーデータを復号するように構成された、請求項１に記載の方法。
【請求項１０】
前記第１の複数の専用基準シンボルが、第１の空間レイヤにおいて前記リレー制御チャネルから前記リレー制御情報を復号するように構成され、前記第２の複数の専用基準シンボルが、第２の空間レイヤにおいて前記共有データチャネルから前記リレーデータを復号するように構成された、請求項１に記載の方法。
【請求項１１】
前記第２および第３の時間間隔における共有データチャネルを備える第２の複数のリソースブロックを前記送信サブフレームにおいて受信することと、ここで、前記第２の時間間隔における選択されたリソース要素の電力レベルが、前記第２の複数のリソースブロックの前記第２の時間間隔および前記第３の時間間隔におけるＯＦＤＭシンボルにわたって電力スペクトル密度を等化するように制御される、
をさらに備える、請求項１に記載の方法。
【請求項１２】
前記第１の複数のリソースブロックと前記第２の複数のリソースブロックとが共同して前記全送信帯域幅にわたり、前記第１の複数のリソースブロックの前記第２の時間間隔における選択されたリソース要素の電力レベルが、前記第１の時間間隔と、前記第２の時間間隔と、前記第３の時間間隔とにおけるＯＦＤＭシンボルにわたって前記電力スペクトル密度を等化するように制御される、請求項１１に記載の方法。
【請求項１３】
送信サブフレームにおいて周波数多重化された第１の複数のリソースブロックを受信するための手段と、ここで、前記第１の複数のリソースブロックが全送信帯域幅未満にわたり、前記第１の複数のリソースブロックが、第１の時間間隔におけるＵＥ制御チャネルと、第２の時間間隔におけるリレー制御チャネルおよび第１の複数の専用基準シンボルと、第３の時間間隔における共有データチャネルおよび第２の複数の専用基準シンボルとを備える、
前記リレー制御チャネルからリレー制御情報を復号するための手段と、
前記共有データチャネルからリレーデータとユーザデータとを復号するための手段とを備え、
ＵＥ制御情報と前記ユーザデータとをユーザ機器にフォワーディングするための手段をさらに備える、リレーノード。
【請求項１４】
前記第２および第３の時間間隔における共有データチャネルを備える第２の複数のリソースブロックを前記送信サブフレームにおいて受信するための手段をさらに備え、前記第２の時間間隔における選択されたリソース要素の電力レベルが、前記第２の複数のリソースブロックの前記第２の時間間隔および前記第３の時間間隔におけるＯＦＤＭシンボルにわたって電力スペクトル密度を等化するように制御される、請求項１３に記載のリレーノード。
【請求項１５】
前記第１の複数のリソースブロックと前記第２の複数のリソースブロックとが共同して前記全送信帯域幅にわたり、前記第１の複数のリソースブロックの前記第２の時間間隔における選択されたリソース要素の電力レベルが、前記第１の時間間隔と、前記第２の時間間隔と、前記第３の時間間隔とにおけるＯＦＤＭシンボルにわたって前記電力スペクトル密度を等化するように制御される、請求項１４に記載のリレーノード。
【請求項１６】
送信サブフレームにおいて周波数多重化された第１の複数のリソースブロックを受信するためのプログラムコードと、ここで、前記第１の複数のリソースブロックが全送信帯域幅未満にわたり、前記第１の複数のリソースブロックが、第１の時間間隔におけるＵＥ制御チャネルと、第２の時間間隔におけるリレー制御チャネルおよび第１の複数の専用基準シンボルと、第３の時間間隔における共有データチャネルおよび第２の複数の専用基準シンボルとを備える、
前記リレー制御チャネルからリレー制御情報を復号するためのプログラムコードと、
前記共有データチャネルからリレーデータとユーザデータとを復号するためのプログラムコードとを備え、
ＵＥ制御情報と前記ユーザデータとをユーザ機器にフォワーディングするためのプログラムコードとをさらに備える、非一時的コンピュータ可読記憶媒体に組み込まれる、コンピュータプログラム。
【請求項１７】
前記第２および第３の時間間隔における共有データチャネルを備える第２の複数のリソースブロックを前記送信サブフレームにおいて受信するためのプログラムコードをさらに備え、前記第２の時間間隔における選択されたリソース要素の電力レベルが、前記第２の複数のリソースブロックの前記第２の時間間隔および前記第３の時間間隔におけるＯＦＤＭシンボルにわたって電力スペクトル密度を等化するように制御される、請求項１６に記載のコンピュータプログラム。
【請求項１８】
前記第１の複数のリソースブロックと前記第２の複数のリソースブロックとが共同して前記全送信帯域幅にわたり、前記第１の複数のリソースブロックの前記第２の時間間隔における選択されたリソース要素の電力レベルが、前記第１の時間間隔と、前記第２の時間間隔と、前記第３の時間間隔とにおけるＯＦＤＭシンボルにわたって前記電力スペクトル密度を等化するように制御される、請求項１７に記載のコンピュータプログラム。
【請求項１９】
リレーノードであって、
プロセッサと、
前記プロセッサによって実行されたとき、
送信サブフレームにおいて周波数多重化された第１の複数のリソースブロックを受信することと、ここで、前記第１の複数のリソースブロックが全送信帯域幅未満にわたり、前記第１の複数のリソースブロックが、第１の時間間隔におけるＵＥ制御チャネルと、第２の時間間隔におけるリレー制御チャネルおよび第１の複数の専用基準シンボルと、第３の時間間隔における共有データチャネルおよび第２の複数の専用基準シンボルとを備える、
前記リレー制御チャネルからリレー制御情報を復号することと、
前記共有データチャネルからリレーデータとユーザデータとを復号することと、
ＵＥ制御情報と前記ユーザデータとをユーザ機器にフォワーディングすることと
を行うように前記リレーノードを構成するプロセッサ実行可能命令を備えるメモリとを備える、リレーノード。
【請求項２０】
前記プロセッサ実行可能命令は、前記プロセッサによって実行されたとき、
前記第２および第３の時間間隔における共有データチャネルを備える第２の複数のリソースブロックを前記送信サブフレームにおいて受信し、前記第２の時間間隔における選択されたリソース要素の電力レベルが、前記第２の複数のリソースブロックの前記第２の時間間隔および前記第３の時間間隔におけるＯＦＤＭシンボルにわたって電力スペクトル密度を等化するように制御される、
ように前記リレーノードをさらに構成する、請求項１９に記載のリレーノード。
【請求項２１】
前記第１の複数のリソースブロックと前記第２の複数のリソースブロックとが共同して前記全送信帯域幅にわたり、前記第１の複数のリソースブロックの前記第２の時間間隔における選択されたリソース要素の電力レベルが、前記第１の時間間隔と、前記第２の時間間隔と、前記第３の時間間隔とにおけるＯＦＤＭシンボルにわたって前記電力スペクトル密度を等化するように制御される、請求項２０に記載のリレーノード。
【請求項２２】
送信サブフレームにおいて周波数多重化された第１の複数のリソースブロックを送信することと、ここで前記第１の複数のリソースブロックが全送信帯域幅未満にわたり、前記第１の複数のリソースブロックが、第１の時間間隔におけるＵＥ制御チャネルと、第２の時間間隔におけるリレー制御チャネルおよび第１の複数の専用基準シンボルと、第３の時間間隔における共有データチャネルおよび第２の複数の専用基準シンボルとを備え、前記リレー制御チャネルがリレー制御情報を備え、前記共有データチャネルがリレーデータとユーザデータとを備え、
前記第２および第３の時間間隔における共有データチャネルを備える第２の複数のリソースブロックを前記送信サブフレームにおいて送信することをさらに備え、前記第２の時間間隔における選択されたリソース要素の電力レベルが、前記第２の複数のリソースブロックの前記第２の時間間隔および前記第３の時間間隔におけるＯＦＤＭシンボルにわたって電力スペクトル密度を等化するように制御される、
方法。
【請求項２３】
前記第１の複数のリソースブロックと前記第２の複数のリソースブロックとが共同して前記全送信帯域幅にわたり、前記第１の複数のリソースブロックの前記第２の時間間隔における選択されたリソース要素の電力レベルが、前記第１の時間間隔と、前記第２の時間間隔と、前記第３の時間間隔とにおけるＯＦＤＭシンボルにわたって前記電力スペクトル密度を等化するように制御される、請求項２２に記載の方法。
【請求項２４】
送信サブフレームにおいて周波数多重化された第１の複数のリソースブロックを送信するための手段と、ここで、前記第１の複数のリソースブロックが全送信帯域幅未満にわたり、前記第１の複数のリソースブロックが、第１の時間間隔におけるＵＥ制御チャネルと、第２の時間間隔におけるリレー制御チャネルおよび第１の複数の専用基準シンボルと、第３の時間間隔における共有データチャネルおよび第２の複数の専用基準シンボルとを備え、前記リレー制御チャネルがリレー制御情報を備え、前記共有データチャネルがリレーデータとユーザデータとを備える、
前記第２および第３の時間間隔における共有データチャネルを備える第２の複数のリソースブロックを前記送信サブフレームにおいて送信するための手段と、ここで、前記第２の時間間隔における選択されたリソース要素の電力レベルが、前記第２の複数のリソースブロックの前記第２の時間間隔および前記第３の時間間隔におけるＯＦＤＭシンボルにわたって電力スペクトル密度を等化するように制御される、
を備える、基地局。
【請求項２５】
前記第１の複数のリソースブロックと前記第２の複数のリソースブロックとが共同して前記全送信帯域幅にわたり、前記第１の複数のリソースブロックの前記第２の時間間隔における選択されたリソース要素の電力レベルが、前記第１の時間間隔と、前記第２の時間間隔と、前記第３の時間間隔とにおけるＯＦＤＭシンボルにわたって前記電力スペクトル密度を等化するように制御される、請求項２４に記載の基地局。
【請求項２６】
送信サブフレームにおいて周波数多重化された第１の複数のリソースブロックを送信するためのプログラムコードと、ここで、前記第１の複数のリソースブロックが全送信帯域幅未満にわたり、前記第１の複数のリソースブロックが、第１の時間間隔におけるＵＥ制御チャネルと、第２の時間間隔におけるリレー制御チャネルおよび第１の複数の専用基準シンボルと、第３の時間間隔における共有データチャネルおよび第２の複数の専用基準シンボルとを備え、前記リレー制御チャネルがリレー制御情報を備え、前記共有データチャネルがリレーデータとユーザデータとを備え、
前記第２および第３の時間間隔における共有データチャネルを備える第２の複数のリソースブロックを前記送信サブフレームにおいて送信するためのプログラムコードをさらに備え、前記第２の時間間隔における選択されたリソース要素の電力レベルが、前記第２の複数のリソースブロックの前記第２の時間間隔および前記第３の時間間隔におけるＯＦＤＭシンボルにわたって電力スペクトル密度を等化するように制御される、
非一時的コンピュータ可読記憶媒体に組み込まれる、コンピュータプログラム。
【請求項２７】
前記第１の複数のリソースブロックと前記第２の複数のリソースブロックとが共同して前記全送信帯域幅にわたり、前記第１の複数のリソースブロックの前記第２の時間間隔における選択されたリソース要素の電力レベルが、前記第１の時間間隔と、前記第２の時間間隔と、前記第３の時間間隔とにおけるＯＦＤＭシンボルにわたって前記電力スペクトル密度を等化するように制御される、請求項２６に記載のコンピュータプログラム。
【請求項２８】
基地局であって、
プロセッサと、
前記プロセッサによって実行されたとき、
送信サブフレームにおいて周波数多重化された第１の複数のリソースブロックを送信することと、ここで、前記第１の複数のリソースブロックが全送信帯域幅未満にわたり、前記第１の複数のリソースブロックが、第１の時間間隔におけるＵＥ制御チャネルと、第２の時間間隔におけるリレー制御チャネルおよび第１の複数の専用基準シンボルと、第３の時間間隔における共有データチャネルおよび第２の複数の専用基準シンボルとを備え、前記リレー制御チャネルがリレー制御情報を備え、前記共有データチャネルがリレーデータとユーザデータとを備える、
前記第２および第３の時間間隔における共有データチャネルを備える第２の複数のリソースブロックを前記送信サブフレームにおいて送信することと、ここで、前記第２の時間間隔における選択されたリソース要素の電力レベルが、前記第２の複数のリソースブロックの前記第２の時間間隔および前記第３の時間間隔におけるＯＦＤＭシンボルにわたって電力スペクトル密度を等化するように制御される、
を行うように前記基地局を構成するプロセッサ実行可能命令を備えるメモリと
を備える、基地局。
【請求項２９】
前記第１の複数のリソースブロックと前記第２の複数のリソースブロックとが共同して前記全送信帯域幅にわたり、前記第１の複数のリソースブロックの前記第２の時間間隔における選択されたリソース要素の電力レベルが、前記第１の時間間隔と、前記第２の時間間隔と、前記第３の時間間隔とにおけるＯＦＤＭシンボルにわたって前記電力スペクトル密度を等化するように制御される、請求項２８に記載の基地局。
【発明の詳細な説明】
【技術分野】
【０００１】
本出願は、その全体が参照により本明細書に組み込まれる、２００９年１１月２日に出願された「Method and System for Establishing a TDM-FDM Relay Backhaul Channel」と題する米国仮特許出願第６１／２５７，４０７号の優先権を主張する。
【０００２】
本発明は、一般にワイヤレス通信の分野に関し、詳細には、基地局とリレーノードとユーザ機器との間の通信のためのシステムおよび方法に関する。
【背景技術】
【０００３】
このセクションは、開示する実施形態の背景またはコンテキストを与えるものである。本明細書の説明には、追求され得る概念が含まれ得るが、必ずしも以前に想到または追求された概念ではない。したがって、本明細書に別段に規定されていない限り、このセクションで説明することは、本出願の明細書および特許請求の範囲に対する従来技術ではなく、このセクションに包含することによって従来技術であるとは認められない。
【０００４】
ワイヤレス通信システムは、ボイス、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、３ＧＰＰ  Ｌｏｎｇ  Ｔｅｒｍ  Ｅｖｏｌｕｔｉｏｎ（ＬＴＥ）システム、および直交周波数分割多元接続（ＯＦＤＭＡ）システムがある。
【０００５】
リレーすること（Relaying）は、ＬＴＥ−Ａｄｖａｎｃｅｄでは、高データレートのカバレージ、グループモビリティ、一時的なネットワーク展開、セルエッジスループットを改善するための、および／または新しいエリアにカバレージを与えるためのツールと見なされる。リレーする際に、ドナーセル（donor cell）として知られる基地局（ｅノードＢ）が、リレーバックホールチャネルと呼ばれる、リレーノードとのワイヤレス接続を介して、移動局（ユーザ機器またはＵＥ）と間接的に通信する。ドナーセルは、ユーザ機器のためのデータおよび制御情報をリレーバックホールチャネルを介してリレーノードに送信する。リレーノードは、ＵＥのデータおよび制御情報を復号することと、ＵＥが認識する形態でデータおよび制御情報をＵＥにフォワーディングすることとが可能であるべきである。すなわち、ＵＥの観点から、リレーノードは普通の基地局のように見えるべきである。リレーノードはまた、ＵＥのデータおよび制御情報と干渉することなしにバックホールチャネルを介してドナーセルからリレーノード自体のデータおよび制御情報を受信することが可能であるべきである。しかしながら、ＬＴＥ  Ａｄｖａｎｃｅｄでは、リレーバックホールチャネルのための決定的なプロトコルが規定されていない。
【発明の概要】
【０００６】
開示する実施形態は、ワイヤレス通信システムにおいてリレーバックホールチャネルを実装するためのシステム、方法、装置およびコンピュータプログラム製品に関する。
【０００７】
開示する一実施形態によれば、リレーノードにおける方法が、送信サブフレームにおいて周波数多重化された第１の複数のリソースブロックを受信することであって、第１の複数のリソースブロックが全送信帯域幅未満にわたり、第１の複数のリソースブロックが、第１の時間間隔におけるユーザ機器（ＵＥ）制御チャネルと、第２の時間間隔におけるリレー制御チャネルおよび第１の複数の専用基準シンボルと、第３の時間間隔における共有データチャネルおよび第２の複数の専用基準シンボルとを備える、受信することを含む。本方法は、リレー制御チャネルからリレー制御情報を復号することと、共有データチャネルからリレーデータとユーザデータとを復号することとをさらに含む。
【０００８】
一実施形態では、第２の時間間隔は、リレー制御チャネルからリレー制御情報を復号するように構成された複数の共通基準シンボルをさらに備える。一実施形態では、第１の複数の専用基準シンボルは、共有データチャネルからリレーデータを復号するように構成され、別の実施形態では、第２の複数の専用基準シンボルは、共有データチャネルからリレーデータを復号するように構成される。
【０００９】
別の実施形態によれば、第１の複数の専用基準シンボルおよび第２の複数の専用基準シンボルは、マルチレイヤ送信モードをサポートするように構成される。一実施形態では、第１の複数のおよび第２の複数の専用基準シンボルは、リレー制御チャネルのないリソースブロック中の専用基準シンボルに一致するようにスクランブルされ、電力制御される。
【００１０】
一実施形態では、第１の複数の専用基準シンボルは、リレー制御チャネルからリレー制御情報を復号するように構成され、第２の複数の専用基準シンボルは、共有データチャネルからリレーデータを復号するように構成される。さらに別の実施形態では、第１の複数のおよび第２の複数の専用基準シンボルは、リレー制御チャネルからリレー制御情報を復号するように構成される。
【００１１】
別の実施形態によれば、第１の複数のおよび第２の複数の専用基準シンボルは、共有データチャネルからリレーデータを復号するように構成される。さらに別の実施形態では、第１の複数の専用基準シンボルは、第１の空間レイヤにおいてリレー制御チャネルからリレー制御情報を復号するように構成され、第２の複数の専用基準シンボルは、第２の空間レイヤにおいて共有データチャネルからリレーデータを復号するように構成される。一実施形態では、上記の方法は、ＵＥ制御情報とユーザデータとをユーザ機器にフォワーディングすることをさらに備える。
【００１２】
一実施形態では、本方法は、第２および第３の時間間隔における共有データチャネルを備える第２の複数のリソースブロックを送信サブフレームにおいて受信することであって、第２の時間間隔における選択されたリソース要素の電力レベルが、第２の複数のリソースブロックの第２の時間間隔および第３の時間間隔におけるＯＦＤＭシンボルにわたって電力スペクトル密度を等化するように制御される、受信することをさらに含む。
【００１３】
一実施形態では、第１の複数のリソースブロックと第２の複数のリソースブロックとは共同して全送信帯域幅にわたり、第１の複数のリソースブロックの第２の時間間隔における選択されたリソース要素の電力レベルは、第１の時間間隔と、第２の時間間隔と、第３の時間間隔とにおけるＯＦＤＭシンボルにわたって電力スペクトル密度を等化するように制御される。
【００１４】
一実施形態では、基地局における方法が、送信サブフレームにおいて周波数多重化された第１の複数のリソースブロックを送信することであって、第１の複数のリソースブロックが全送信帯域幅未満にわたり、第１の複数のリソースブロックが、第１の時間間隔におけるＵＥ制御チャネルと、第２の時間間隔におけるリレー制御チャネルおよび第１の複数の専用基準シンボルと、第３の時間間隔における共有データチャネルおよび第２の複数の専用基準シンボルとを備え、リレー制御チャネルがリレー制御情報を備え、共有データチャネルがリレーデータとユーザデータとを備える、送信することを含む。
【００１５】
一実施形態では、本方法は、第２および第３の時間間隔における共有データチャネルを備える第２の複数のリソースブロックを送信サブフレームにおいて送信することであって、第２の時間間隔における選択されたリソース要素の電力レベルが、第２の複数のリソースブロックの第２の時間間隔および第３の時間間隔におけるＯＦＤＭシンボルにわたって電力スペクトル密度を等化するように制御される、送信することをさらに含む。
【００１６】
一実施形態では、第１の複数のリソースブロックと第２の複数のリソースブロックとは共同して全送信帯域幅にわたり、第１の複数のリソースブロックの第２の時間間隔における選択されたリソース要素の電力レベルは、第１の時間間隔と、第２の時間間隔と、第３の時間間隔とにおけるＯＦＤＭシンボルにわたって電力スペクトル密度を等化するように制御される。
【００１７】
他の開示する実施形態は、開示する方法を実行するための装置およびコンピュータプログラム製品を含む。様々な実施形態のこれらおよび他の特徴は、その動作の構成および様式とともに、添付の図面とともに以下の発明を実施するための形態を読めば明らかになろう。図面全体にわたって、同様の部分を指すのに同様の参照符号を使用する。
【００１８】
添付の図面の各図において、与えられる実施形態について、限定ではなく例として説明する。
【図面の簡単な説明】
【００１９】
【図１】ワイヤレス通信システムを示す図。
【図２】通信システムのブロック図。
【図３】開示する実施形態を示すシステムのブロック図。
【図４】時間周波数リソース割振りを示す図。
【図５】リソースブロックを示す図。
【図６】一実施形態における、リソースブロックの例示的な分布を示す図。
【図７】一実施形態における、リレーノードにおける方法を示すフローチャート。
【図８】一実施形態における、基地局における方法を示すフローチャート。
【図９】一実施形態における、ユーザ機器における方法を示すフローチャート。
【図１０】一実施形態におけるワイヤレス通信装置を示す図。
【図１１】一実施形態における、リソースブロックの別の例示的な分布を示す図。
【図１２】一実施形態における、リソースブロックの別の例示的な分布を示す図。
【図１３】一実施形態における、リソースブロックの別の例示的な分布を示す図。
【図１４】一実施形態における、リソースブロックの別の例示的な分布を示す図。
【図１５】一実施形態における、リソースブロックの別の例示的な分布を示す図。
【図１６】一実施形態における、リソースブロックの別の例示的な分布を示す図。
【発明を実施するための形態】
【００２０】
以下の記述では、限定ではなく説明の目的で、様々な開示する実施形態の完全な理解を与えるために詳細および説明を記載する。ただし、様々な実施形態は、これらの詳細および説明から逸脱する他の実施形態において実施され得ることが当業者には明らかであろう。
【００２１】
本明細書で使用する「構成要素」、「モジュール」、「システム」などの用語は、ハードウェア、ファームウェア、ハードウェアとソフトウェアの組合せ、ソフトウェア、または実行中のソフトウェアなど、コンピュータ関連のエンティティを指すものとする。たとえば、構成要素は、プロセッサ上で実行されるプロセス、プロセッサ、オブジェクト、実行ファイル、実行スレッド、プログラム、および／またはコンピュータであり得るが、これらに限定されない。例として、コンピューティングデバイス上で実行されるアプリケーションと、そのコンピューティングデバイスの両方を構成要素であり得る。１つまたは複数の構成要素がプロセスおよび／または実行スレッド内に常駐することができ、１つの構成要素が１つのコンピュータ上に配置され得、および／または２つ以上のコンピュータ間に分散され得る。さらに、これらの構成要素は、様々なデータ構造を記憶している様々なコンピュータ可読媒体から実行することができる。これらの構成要素は、１つまたは複数のデータパケット（たとえば、ローカルシステム、分散システム内の別の構成要素と対話する、および／またはインターネットなどのネットワーク上で信号を介して他のシステムと対話する、１つの構成要素からのデータ）を有する信号によるなど、ローカルプロセスおよび／またはリモートプロセスを介して通信し得る。
【００２２】
さらに、本明細書では、いくつかの実施形態について、ユーザ機器に関して説明する。ユーザ機器は、ユーザ端末とも呼ばれ、システム、加入者ユニット、加入者局、移動局、モバイルワイヤレス端末、モバイルデバイス、ノード、デバイス、遠隔局、リモート端末、端末、ワイヤレス通信デバイス、ワイヤレス通信装置またはユーザエージェントの機能の一部または全部を含み得る。ユーザ機器は、セルラー電話、コードレス電話、セッション開始プロトコル（ＳＩＰ）電話、スマートフォン、ワイヤレスローカルループ（ＷＬＬ）局、携帯情報端末（ＰＤＡ）、ラップトップ、ハンドヘルド通信デバイス、ハンドヘルドコンピューティングデバイス、衛星無線、ワイヤレスモデムカード、および／またはワイヤレスシステムを介して通信するための別の処理デバイスであり得る。さらに、本明細書では基地局に関する様々な態様について説明する。基地局は、１つまたは複数のワイヤレス端末と通信するために利用され得、アクセスポイント、ノード、ノードＢ、発展型ノードＢ（ｅＮＢ）または何らかの他のネットワークエンティティと呼ばれることもあり、それらの機能の一部または全部を含み得る。基地局は、エアインターフェースを介してワイヤレス端末と通信する。通信は、１つまたは複数のセクタを通して行われ得る。基地局は、受信したエアインターフェースフレームをインターネットプロトコル（ＩＰ）パケットに変換することによって、ワイヤレス端末と、ＩＰネットワークを含むことができるアクセスネットワークの残部との間のルータとして働くことができる。基地局はまた、エアインターフェースの属性の管理を調整することができ、また、ワイヤードネットワークとワイヤレスネットワークとの間のゲートウェイであり得る。
【００２３】
様々な態様、実施形態または特徴は、いくつかのデバイス、構成要素、モジュールなどを含み得るシステムに関して提示される。様々なシステムは、追加のデバイス、構成要素、モジュールなどを含んでもよく、および／または各図に関連して論じるデバイス、構成要素、モジュールなどのすべてを含まなくてもよいことを理解および諒解されたい。これらの手法の組合せも使用され得る。
【００２４】
さらに、「例示的」という単語は、本明細書では、例、事例または例示の働きをすることを意味するために使用する。「例示的」として本明細書で説明するいかなる実施形態または設計も、必ずしも他の実施形態または設計よりも好ましいまたは有利なものと解釈すべきではない。むしろ、「例示的」という単語の使用は、概念を具体的な方法で提示するものである。
【００２５】
様々な開示する実施形態は、通信システムに組み込まれ得る。一例では、そのような通信システムは、全システム帯域幅を、周波数サブチャネル、トーンまたは周波数ビンと呼ばれることもある複数（ＮF）個のサブキャリアに効果的に区分する直交周波数分割多重（ＯＦＤＭ）を利用する。ＯＦＤＭシステムでは、まず、送信すべきデータ（すなわち、情報ビット）を特定のコーディング方式を用いて符号化してコード化ビットを発生し、コード化ビットをさらにマルチビットシンボルにグループ化し、次いで、これらのマルチビットシンボルを変調シンボルにマッピングする。各変調シンボルは、データ送信のために使用される特定の変調方式（たとえば、Ｍ−ＰＳＫまたはＭ−ＱＡＭ）によって定義された信号コンスタレーション中のポイントに対応する。各周波数サブキャリアの帯域幅に依存し得る各時間間隔において、変調シンボルは、ＮF個の周波数サブキャリアの各々上で送信され得る。したがって、システム帯域幅にわたって異なる減衰量によって特徴づけられる、周波数選択性フェージングによって引き起こされたシンボル間干渉（ＩＳＩ）をなくすために、ＯＦＤＭが使用され得る。
【００２６】
概して、ワイヤレス多元接続通信システムは、複数のワイヤレス端末のための通信を同時にサポートすることができる。各端末は、順方向（forward）および逆方向（reverse）リンク上の送信を介して１つまたは複数の基地局と通信する。順方向リンク（またはダウンリンク）とは、基地局から端末への通信リンクを指し、逆方向リンク（またはアップリンク）とは、端末から基地局への通信リンクを指す。この通信リンクは、単入力単出力、多入力単出力、または多入力多出力（ＭＩＭＯ）システムを介して確立され得る。
【００２７】
ＭＩＭＯシステムは、データ伝送のために複数（ＮT）個の送信アンテナと複数（ＮR）個の受信アンテナとを使用する。ＮT個の送信アンテナとＮR個の受信アンテナとによって形成されるＭＩＭＯチャネルは、空間チャネルとも呼ばれるＮS個の独立チャネルに分解され得、ＮS≦ｍｉｎ｛ＮT，ＮR｝である。ＮS個の独立チャネルの各々は１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与えることができる。ＭＩＭＯシステムはまた、時分割複信（ＴＤＤ）システムと周波数分割複信（ＦＤＤ）システムとをサポートする。ＴＤＤシステムでは、順方向リンク送信と逆方向リンク送信とが同じ周波数領域上で行われるので、相反定理により逆方向リンクチャネルからの順方向リンクチャネルの推定が可能である。これにより、複数のアンテナが基地局で利用可能なとき、基地局は順方向リンク上で送信ビームフォーミング利得を取り出すことが可能になる。
【００２８】
図１に、様々な開示する実施形態が実装され得るワイヤレス通信システムを示す。基地局１００が、複数のアンテナグループを含み得、各アンテナグループは、１つまたは複数のアンテナを備え得る。たとえば、基地局１００が６つのアンテナを備える場合、あるアンテナグループが、第１のアンテナ１０４と第２のアンテナ１０６とを備え得、別のアンテナグループが、第３のアンテナ１０８と第４のアンテナ１１０とを備え得、第３のグループが、第５のアンテナ１１２と第６のアンテナ１１４とを備え得る。上記のアンテナグループの各々が２つのアンテナを有するとして特定されたが、各アンテナグループ中でより多いまたはより少ないアンテナが利用され得ることに留意されたい。
【００２９】
再び図１を参照すると、第１のユーザ機器１１６は、第１の順方向リンク１２０を介した第１のユーザ機器１１６への情報の送信と、第１の逆方向リンク１１８を介した第１のユーザ機器１１６からの情報の受信とを可能にするために、たとえば、第５のアンテナ１１２と第６のアンテナ１１４と通信するものとして示されている。また、図１に、第２の順方向リンク１２６を介した第２のユーザ機器１２２への情報の送信と第２の逆方向リンク１２４を介した第２のユーザ機器１２２からの情報の受信とを可能にするために、たとえば、第３のアンテナ１０８と第４のアンテナ１１０と通信する第２のユーザ機器１２２を示す。周波数分割複信（ＦＤＤ）システムでは、図１に示す通信リンク１１８、１２０、１２４、１２６は、通信のための異なる周波数を使用し得る。たとえば、第１の順方向リンク１２０は、第１の逆方向リンク１１８によって使用される周波数とは異なる周波数を使用し得る。
【００３０】
いくつかの実施形態では、アンテナの各グループ、および／またはアンテナが通信するように設計されたエリアは、しばしば、基地局のセクタと呼ばれる。たとえば、図１に示す異なるアンテナグループが、基地局１００のセクタ中のユーザ機器に通信するように設計され得る。順方向リンク１２０および１２６を介した通信では、基地局１００の送信アンテナは、異なるユーザ機器１１６および１２２に対して順方向リンクの信号対雑音比を改善するためにビームフォーミングを利用する。また、そのカバレージエリア全体にわたってランダムに散在するユーザ機器に送信するためにビームフォーミングを使用する基地局は、単一のアンテナを介してそのすべてのユーザ機器にオムニ指向的に送信する基地局よりも、近隣セル中のユーザ機器への干渉が小さくなる。
【００３１】
様々な開示する実施形態のいくつかに適応し得る通信ネットワークは、制御チャネルとトラフィックチャネルとに分類される論理チャネルを含み得る。論理制御チャネルは、システム制御情報をブロードキャストするためのダウンリンクチャネルであるブロードキャスト制御チャネル（ＢＣＣＨ：broadcast control channel）、ページング情報を転送するダウンリンクチャネルであるページング制御チャネル（ＰＣＣＨ：paging control channel）、１つまたは複数のマルチキャストトラフィックチャネル（ＭＴＣＨ：multicast traffic channel）のためのマルチメディアブロードキャストおよびマルチキャストサービス（ＭＢＭＳ：multimedia broadcast and multicast service）スケジューリングおよび制御情報を送信するために使用されるポイントツーマルチポイントダウンリンクチャネルであるマルチキャスト制御チャネル（ＭＣＣＨ：multicast control channel）を含み得る。概して、無線リソース制御（ＲＲＣ：radio resource control）接続を確立した後、ＭＣＣＨは、ＭＢＭＳを受信するユーザ機器によってのみ使用され得る。専用制御チャネル（ＤＣＣＨ：dedicated control channel）は、ＲＲＣ接続を有するユーザ機器によって使用されるユーザ固有の制御情報などの専用制御情報を送信するポイントツーポイント双方向チャネルである別の論理制御チャネルである。また、共通制御チャネル（ＣＣＣＨ：common control channel）は、ランダムアクセス情報のために使用され得る論理制御チャネルである。論理トラフィックチャネルは、ユーザ情報の転送のための１つのユーザ機器に専用のポイントツーポイント双方向チャネルである専用トラフィックチャネル（ＤＴＣＨ：dedicated traffic channel）を備え得る。また、マルチキャストトラフィックチャネル（ＭＴＣＨ）は、トラフィックデータのポイントツーマルチポイントダウンリンク送信のために使用され得る。
【００３２】
様々な実施形態のいくつかに適応する通信ネットワークは、さらに、ダウンリンク（ＤＬ：downlink）とアップリンク（ＵＬ：uplink）とに分類される論理トランスポートチャネルを含み得る。ＤＬトランスポートチャネルは、ブロードキャストチャネル（ＢＣＨ：broadcast channel）、ダウンリンク共有データチャネル（ＤＬ−ＳＤＣＨ：downlink shared data channel）、マルチキャストチャネル（ＭＣＨ：multicast channel）、およびページングチャネル（ＰＣＨ：Paging Channel）を含み得る。ＵＬトランスポートチャネルは、ランダムアクセスチャネル（ＲＡＣＨ：random access channel）、要求チャネル（ＲＥＱＣＨ：request channel）、アップリンク共有データチャネル（ＵＬ−ＳＤＣＨ：uplink shared data channel）、および複数の物理チャネルを含み得る。物理チャネルはまた、ダウンリンクチャネルおよびアップリンクチャネルのセットを含み得る。
【００３３】
いくつかの開示する実施形態では、ダウンリンク物理チャネルは、共通パイロットチャネル（ＣＰＩＣＨ：common pilot channel）、同期チャネル（ＳＣＨ：synchronization channel）、共通制御チャネル（ＣＣＣＨ）、共有ダウンリンク制御チャネル（ＳＤＣＣＨ：shared downlink control channel）、マルチキャスト制御チャネル（ＭＣＣＨ）、共有アップリンク割当てチャネル（ＳＵＡＣＨ：shared uplink assignment channel）、肯定応答チャネル（ＡＣＫＣＨ：acknowledgement channel）、ダウンリンク物理共有データチャネル（ＤＬ−ＰＳＤＣＨ：downlink physical shared data channel）、アップリンク電力制御チャネル（ＵＰＣＣＨ：uplink power control channel）、ページングインジケータチャネル（ＰＩＣＨ：paging indicator channel）、負荷インジケータチャネル（ＬＩＣＨ：load indicator channel）、物理ブロードキャストチャネル（ＰＢＣＨ：physical broadcast channel）、物理制御フォーマットインジケータチャネル（ＰＣＦＩＣＨ：physical control format indicator channel）、物理ダウンリンク制御チャネル（ＰＤＣＣＨ：physical downlink control channel）、物理ハイブリッドＡＲＱインジケータチャネル（ＰＨＩＣＨ：physical hybrid ARQ indicator channel）、物理ダウンリンク共有チャネル（ＰＤＳＣＨ：physical downlink shared channel）および物理マルチキャストチャネル（ＰＭＣＨ：physical multicast channel）のうちの少なくとも１つを含み得る。アップリンク物理チャネルは、物理ランダムアクセスチャネル（ＰＲＡＣＨ：physical random access channel）、チャネル品質インジケータチャネル（ＣＱＩＣＨ：channel quality indicator channel）、肯定応答チャネル（ＡＣＫＣＨ：acknowledgement channel）、アンテナサブセットインジケータチャネル（ＡＳＩＣＨ：antenna subset indicator channel）、共有要求チャネル（ＳＲＥＱＣＨ：shared request channel）、アップリンク物理共有データチャネル（ＵＬ−ＰＳＤＣＨ：uplink physical shared data channel）、ブロードバンドパイロットチャネル（ＢＰＩＣＨ：broadband pilot channel）、物理アップリンク制御チャネル（ＰＵＣＣＨ：physical uplink control channel）および物理アップリンク共有チャネル（ＰＵＳＣＨ：physical uplink shared channel）のうちの少なくとも１つを含み得る。
【００３４】
さらに、様々な開示する実施形態について説明する際に以下の用語および特徴が使用され得る。
【００３５】
３Ｇ                第３世代（3rd Generation）
３ＧＰＰ            第３世代パートナーシッププロジェクト（3rd Generation Partnership Project）
ＡＣＬＲ            隣接チャネル漏洩比（adjacent channel leakage ratio）
ＡＣＰＲ            隣接チャネル電力比（adjacent channel power ratio）
ＡＣＳ              隣接チャネル選択度（adjacent channel selectivity）
ＡＤＳ              高度設計システム（Advanced Design System）
ＡＭＣ              適応変調コーディング（adaptive modulation and coding）
Ａ−ＭＰＲ          追加最大電力低減（additional maximum power reduction）
ＡＲＱ              自動再送要求（automatic repeat request）
ＢＣＣＨ            ブロードキャスト制御チャネル（broadcast control channel）
ＢＴＳ              送受信基地局（base transceiver station）
ＣＣＥ              チャネル制御要素（Channel Control Element）
ＣＤＤ              サイクリック遅延ダイバーシティ（cyclic delay diversity）
ＣＣＤＦ            相補累積分布関数（complementary cumulative distribution function）
ＣＤＭＡ            符号分割多元接続（code division multiple access）
ＣＦＩ              制御フォーマットインジケータ（control format indicator）
Ｃｏ−ＭＩＭＯ      協調ＭＩＭＯ（cooperative MIMO）
ＣＰ                サイクリックプレフィックス（cyclic prefix）
ＣＰＩＣＨ          共通パイロットチャネル（common pilot channel）
ＣＰＲＩ            共通公衆無線インターフェース（common public radio interface）
ＣＱＩ              チャネル品質インジケータ（channel quality indicator）
ＣＲＣ              サイクリック冗長検査（cyclic redundancy check）
ＤＣＩ              ダウンリンク制御インジケータ（downlink control indicator）
ＤＦＴ              離散フーリエ変換（discrete Fourier transform）
ＤＦＴ−ＳＯＦＤＭ  離散フーリエ変換拡散ＯＦＤＭ（discrete Fourier transform spread OFDM）
ＤＬ                ダウンリンク（基地局から加入者への送信）
ＤＬ−ＳＣＨ        ダウンリンク共有チャネル（downlink shared channel）
ＤＳＰ              デジタル信号処理（digital signal processing）
ＤＴ                開発ツールセット（development toolset）
ＤＶＳＡ            デジタルベクトル信号分析（digital vector signal analysis）
ＥＤＡ              電子設計オートメーション（electronic design automation）
Ｅ−ＤＣＨ          拡張専用チャネル（enhanced dedicated channel）
Ｅ−ＵＴＲＡＮ      発展型ＵＭＴＳ地上波無線アクセスネットワーク（evolved UMTS terrestrial radio access network）
ｅＭＢＭＳ          発展型マルチメディアブロードキャストマルチキャストサービス（evolved multimedia broadcast multicast service）
ｅＮＢ              発展型ノードＢ（evolved Node B）
ＥＰＣ              発展型パケットコア（evolved packet core）
ＥＰＲＥ            リソース要素当たりのエネルギー（energy per resource element）
ＥＴＳＩ            欧州電気通信標準化機構（European Telecommunications Standards Institute）
Ｅ−ＵＴＲＡ        発展型ＵＴＲＡ（evolved UTRA）
Ｅ−ＵＴＲＡＮ      発展型ＵＴＲＡＮ（evolved UTRAN）
ＥＶＭ              エラーベクトル振幅（error vector magnitude）
ＦＤＤ              周波数分割複信（frequency division duplex）
ＦＦＴ              高速フーリエ変換（fast Fourier transform）
ＦＲＣ              固定基準チャネル（fixed reference channel）
ＦＳ１              フレーム構造タイプ１（frame structure type 1）
ＦＳ２              フレーム構造タイプ２（frame structure type 2）
ＧＳＭ（登録商標）  広域移動体通信システム（Global system for mobile communication）
ＨＡＲＱ            ハイブリッド自動再送要求（hybrid automatic repeat request）
ＨＤＬ              ハードウェア記述言語（hardware description language）
ＨＩ                ＨＡＲＱインジケータ（HARQ indicator）
ＨＳＤＰＡ          高速ダウンリンクパケットアクセス（high speed downlink packet access）
ＨＳＰＡ            高速パケットアクセス（high speed packet access）
ＨＳＵＰＡ          高速アップリンクパケットアクセス（high speed uplink packet access）
ＩＦＦＴ            逆ＦＦＴ（inverse FFT）
ＩＯＴ              相互運用性テスト（interoperability test）
ＩＰ                インターネットプロトコル（internet protocol）
ＬＯ                局部発振器（local oscillator）
ＬＴＥ              ロングタームエボリューション（Long term evolution）
ＭＡＣ              媒体アクセス制御（medium access control）
ＭＢＭＳ            マルチメディアブロードキャストマルチキャストサービス（multimedia broadcast multicast service）
ＭＢＳＦＮ          マルチキャスト／ブロードキャスト単一周波数ネットワーク（multicast/broadcast over single-frequency network）
ＭＣＨ              マルチキャストチャネル（multicast channel）
ＭＣＳ              変調およびコーディング方式（Modulation and Coding Scheme）
ＭＩＭＯ            多入力多出力（multiple input multiple output）
ＭＩＳＯ            多入力単出力（multiple input single output）
ＭＭＥ              モビリティ管理エンティティ（mobility management entity）
ＭＯＰ              最大出力電力（maximum output power）
ＭＰＲ              最大電力低減（maximum power reduction）
ＭＵ−ＭＩＭＯ      マルチユーザＭＩＭＯ（multiple user MIMO）
ＮＡＳ              非アクセス層（non-access stratum）
ＯＢＳＡＩ          オープン基地局アーキテクチャインターフェース（open base station architecture interface）
ＯＦＤＭ            直交周波数分割多重（orthogonal frequency division multiplexing）
ＯＦＤＭＡ          直交周波数分割多元接続（orthogonal frequency division multiple access）
ＰＡＰＲ            ピーク対平均電力比（peak-to-average power ratio）
ＰＡＲ              ピーク対平均値比（peak-to-average ratio）
ＰＢＣＨ            物理ブロードキャストチャネル（physical broadcast channel）
Ｐ−ＣＣＰＣＨ      １次共通制御物理チャネル（primary common control physical channel）
ＰＣＦＩＣＨ        物理制御フォーマットインジケータチャネル（physical control format indicator channel）
ＰＣＨ              ページングチャネル（paging channel）
ＰＤＣＣＨ          物理ダウンリンク制御チャネル（physical downlink control channel）
ＰＤＣＰ            パケットデータコンバージェンスプロトコル（packet data convergence protocol）
ＰＤＳＣＨ          物理ダウンリンク共有チャネル（physical downlink shared channel）
ＰＨＩＣＨ          物理ハイブリッドＡＲＱインジケータチャネル（physical hybrid ARQ indicator channel）
ＰＨＹ              物理層（physical layer）
ＰＲＡＣＨ          物理ランダムアクセスチャネル（physical random access channel）
ＰＭＣＨ            物理マルチキャストチャネル（physical multicast channel）
ＰＭＩ              プリコーディング行列インジケータ（pre-coding matrix indicator）
Ｐ−ＳＣＨ          １次同期信号（primary synchronization signal）
ＰＵＣＣＨ          物理アップリンク制御チャネル（physical uplink control channel）
ＰＵＳＣＨ          物理アップリンク共有チャネル（physical uplink shared channel）
ＲＢ                リソースブロック（Resource Block）
ＲＢＧ              リソースブロックグループ（Resource Block Group）
ＲＥ                リソース要素（Resource Element）
ＲＥＧ              リソース要素グループ（Resource Element Group）
ＲＮＴＩ            無線ネットワーク一時識別子（Radio Network Temporary Identifier）。
【００３６】
図２に、様々な実施形態に適応し得る例示的な通信システムのブロック図を示す。図２に示すＭＩＭＯ通信システム２００は、ＭＩＭＯ通信システム２００中の送信機システム２１０（たとえば、基地局またはアクセスポイント）と受信機システム２５０（たとえば、アクセス端末またはユーザ機器）とを備える。基地局が送信機システム２１０と呼ばれ、ユーザ機器が受信機システム２５０と呼ばれるが、図示のように、これらのシステムの実施形態は双方向通信が可能であることを当業者は諒解されよう。その点について、「送信機システム２１０」および「受信機システム２５０」という用語は、いずれかのシステムからの単一の指向性通信を暗示するために使用されるべきでない。また、図２の送信機システム２１０および受信機システム２５０は、各々、図２に明示的に示されていない複数の他の受信機システムおよび送信機システムと通信することが可能であることに留意されたい。送信機システム２１０において、いくつかのデータストリームのトラフィックデータがデータソース２１２から送信（ＴＸ）データプロセッサ２１４に供給される。各データストリームは、それぞれの送信機システムを介して送信され得る。ＴＸデータプロセッサ２１４は、コード化データを与えるために、各データストリームのトラフィックデータを、そのデータストリーム用に選択された特定のコーディング方式に基づいてフォーマットし、コーディングし、インターリーブする。
【００３７】
各データストリームのコード化データは、たとえば、ＯＦＤＭ技法を使用してパイロットデータで多重化され得る。パイロットデータは、典型的には、知られている方法で処理され、チャネル応答を推定するために受信機システムにおいて使用され得る、知られているデータパターンである。次いで、各データストリームの多重化されたパイロットデータおよびコード化データは、変調シンボルを与えるために、そのデータストリーム用に選択された特定の変調方式（たとえば、ＢＰＳＫ、ＱＳＰＫ、Ｍ−ＰＳＫ、またはＭ−ＱＡＭ）に基づいて変調（シンボルマッピング）される。各データストリームのデータレート、コーディング、および変調は、送信機システム２１０のプロセッサ２３０によって実行される命令によって判断され得る。
【００３８】
図２の例示的なブロック図では、すべてのデータストリームの変調シンボルはＴＸ  ＭＩＭＯプロセッサ２２０に供給され得、ＴＸ  ＭＩＭＯプロセッサ２２０は、（たとえば、ＯＦＤＭ用に）変調シンボルをさらに処理することができる。次いで、ＴＸ  ＭＩＭＯプロセッサ２２０は、ＮT個の変調シンボルストリームを、ＮT個の送信機システムトランシーバ（ＴＭＴＲ：transmitter system transceiver）２２２ａ〜２２２ｔに供給する。一実施形態では、ＴＸ  ＭＩＭＯプロセッサ２２０は、さらに、データストリームのシンボルと、シンボルが送信されているアンテナとにビームフォーミング重みを適用し得る。
【００３９】
各送信機システムトランシーバ２２２ａ〜２２２ｔは、それぞれのシンボルストリームを受信し、処理して、１つまたは複数のアナログ信号を与え、さらに、それらのアナログ信号を調整して、ＭＩＭＯチャネルを介して送信するのに適した被変調信号を与える。いくつかの実施形態では、調整は、限定はしないが、増幅、フィルタ処理、アップコンバージョンなどの動作を含み得る。次いで、送信機システムトランシーバ２２２ａ〜２２２ｔによって生成された被変調信号は、図２に示す送信機システムアンテナ２２４ａ〜２２４ｔから送信される。
【００４０】
受信機システム２５０では、送信された被変調信号は受信機システムアンテナ２５２ａ〜２５２ｒによって受信され得、受信機システムアンテナ２５２ａ〜２５２ｒの各々からの受信信号は、それぞれの受信機システムトランシーバ（ＲＣＶＲ：receiver system transceiver）２５４ａ〜２５４ｒに供給される。各受信機システムトランシーバ２５４ａ〜２５４ｒは、それぞれの受信信号を調整し、調整された信号をデジタル化して、サンプルを与え、さらにそれらのサンプルを処理して、対応する「受信」シンボルストリームを与え得る。いくつかの実施形態では、調整は、限定はしないが、増幅、フィルタ処理、ダウンコンバージョンなどの動作を含み得る。
【００４１】
次いで、ＲＸデータプロセッサ２６０は、受信機システムトランシーバ２５４ａ〜２５４ｒからシンボルストリームを受信し、特定の受信機処理技法に基づいて処理して、複数の「検出」シンボルストリームを与える。一例では、各検出シンボルストリームは、対応するデータストリームに関して送信されるシンボルの推定値であるシンボルを含むことができる。次いで、ＲＸデータプロセッサ２６０は、少なくとも部分的に、各検出シンボルストリームを復調し、デインターリーブし、復号して、対応するデータストリームのトラフィックデータを復元する。ＲＸデータプロセッサ２６０による処理は、送信機システム２１０におけるＴＸ  ＭＩＭＯプロセッサ２２０およびＴＸデータプロセッサ２１４によって実行される処理を補足するものであり得る。ＲＸデータプロセッサ２６０は、さらに、処理されたシンボルストリームをデータシンク２６４に供給することができる。
【００４２】
いくつかの実施形態では、チャネル応答推定が、ＲＸデータプロセッサ２６０によって発生され、受信機システム２５０において空間／時間処理を実行し、電力レベルを調整し、変調レートまたは方式を変更し、および／または他の適切なアクションを実行するために使用され得る。さらに、ＲＸデータプロセッサ２６０は、検出シンボルストリームの信号対雑音比（ＳＮＲ）および信号対干渉比（ＳＩＲ）などのチャネル特性をさらに推定することができる。次いで、ＲＸデータプロセッサ２６０は、推定されたチャネル特性をプロセッサ２７０に供給することができる。一例では、受信機システム２５０のＲＸデータプロセッサ２６０および／またはプロセッサ２７０は、システムに関する「動作」ＳＮＲの推定値をさらに導出することができる。受信機システム２５０のプロセッサ２７０はまた、通信リンクおよび／または受信データストリームに関する情報を含み得るチャネル状態情報（ＣＳＩ：channel state information）を与えることができる。たとえば、動作ＳＮＲおよび他のチャネル情報を含み得るこの情報は、たとえば、ユーザ機器のスケジューリング、ＭＩＭＯの設定、変調およびコーディングの選択などに関して適切な決定を行うために、送信機システム２１０（たとえば、基地局またはｅノードＢ）によって使用され得る。受信機システム２５０において、プロセッサ２７０によって生成されたＣＳＩは、ＴＸデータプロセッサ２３８によって処理され、変調器２８０によって変調され、受信機システムトランシーバ２５４ａ〜２５４ｒによって調整され、送信機システム２１０に返信され得る。さらに、受信機システム２５０にあるデータソース２３６は、ＴＸデータプロセッサ２３８によって処理される追加のデータを与えることができる。
【００４３】
いくつかの実施形態では、受信機システム２５０にあるプロセッサ２７０はまた、どのプリコーディング行列を使用すべきかを周期的に判断し得る。プロセッサ２７０は、行列インデックス部とランク値部とを備える逆方向リンクメッセージを作成する。逆方向リンクメッセージは、通信リンクおよび／または受信データストリームに関する様々なタイプの情報を備え得る。次いで、逆方向リンクメッセージは、データソース２３６からいくつかのデータストリームのトラフィックデータをも受信し得る、受信機システム２５０にあるＴＸデータプロセッサ２３８によって処理される。処理された情報は、次いで、変調器２８０によって変調され、受信機システムトランシーバ２５４ａ〜２５４ｒのうちの１つまたは複数によって調整され、送信機システム２１０に返信される。
【００４４】
ＭＩＭＯ通信システム２００のいくつかの実施形態では、受信機システム２５０は、空間多重化信号を受信し、処理することが可能である。これらのシステムでは、空間多重化は、送信機システムアンテナ２２４ａ〜２２４ｔ上で異なるデータストリームを多重化し、送信することによって、送信機システム２１０において発生する。これは、複数の送信機システムアンテナ２２４ａ〜２２４ｔから同じデータストリームが送られる送信ダイバーシティ方式の使用とは対照的である。空間多重化された信号を受信し処理することが可能なＭＩＭＯ通信システム２００では、プリコード行列は、送信機システムアンテナ２２４ａ〜２２４ｔの各々から送信される信号が互いから十分に無相関化される（decorrelated）ことを確実にするために、典型的には、送信機システム２１０において使用される。この無相関化は、特定の受信機システムアンテナ２５２ａ〜２５２ｒに到着するコンポジット信号が受信され得、個々のデータストリームが、他の送信機システムアンテナ２２４ａ〜２２４ｔからの他のデータストリームを搬送する信号の存在下で判断され得ることを確実にする。
【００４５】
ストリーム間の相互相関の量は環境によって影響を受け得るので、受信機システム２５０が、受信信号に関する情報を送信機システム２１０にフィードバックすることが有利である。これらのシステムでは、送信機システム２１０と受信機システム２５０の両方は、いくつかのプリコーディング行列をもつコードブックを含んでいる。これらのプリコーディング行列の各々は、いくつかの例では、受信信号中で受ける相互相関の量に関係し得る。特定の行列中の値ではなくその行列のインデックスを送ることが有利であるので、受信機システム２５０から送信機システム２１０に送られるフィードバック制御信号は、典型的には、特定のプリコーディング行列のインデックスを含んでいる。いくつかの事例において、フィードバック制御信号はまた、空間多重化において何個の独立データストリームを使用すべきかを送信機システム２１０に示すランクインデックスを含む。
【００４６】
ＭＩＭＯ通信システム２００の他の実施形態は、上記で説明した空間多重化方式の代わりに送信ダイバーシティ方式を利用するように構成される。これらの実施形態では、同じデータストリームが、送信機システムアンテナ２２４ａ〜２２４ｔ上で送信される。これらの実施形態では、受信機システム２５０に与えられるデータレートは、典型的には、空間多重化ＭＩＭＯ通信システム２００よりも低くなる。これらの実施形態は、通信チャネルのロバストネスおよび信頼性を与える。送信ダイバーシティシステムでは、送信機システムアンテナ２２４ａ〜２２４ｔから送信される信号の各々は、異なる干渉環境（たとえば、フェージング、反射、マルチパス位相シフト）を受けることになる。これらの実施形態では、受信機システムアンテナ２５２ａ〜２５２ｒにおいて受信される異なる信号特性は、適切なデータストリームを判断するのに有用である。これらの実施形態では、ランクインジケータは、典型的には１に設定され、送信機システム２１０に空間多重化を使用しないように伝える。
【００４７】
他の実施形態は、空間多重化と送信ダイバーシティの組合せを利用し得る。たとえば、４つの送信機システムアンテナ２２４ａ〜２２４ｔを利用するＭＩＭＯ通信システム２００では、第１のデータストリームが、送信機システムアンテナ２２４ａ〜２２４ｔのうちの２つの上で送信され、第２のデータストリームが、残りの２つの送信機システムアンテナ２２４ａ〜２２４ｔ上で送信され得る。これらの実施形態では、ランクインデックスは、プリコード行列の全ランクよりも小さい整数に設定され、空間多重化と送信ダイバーシティの組合せを採用することを送信機システム２１０に示す。
【００４８】
送信機システム２１０において、受信機システム２５０からの被変調信号は、送信機システムアンテナ２２４ａ〜２２４ｔによって受信され、送信機システムトランシーバ２２２ａ〜２２２ｔによって調整され、送信機システム復調器２４０によって復調され、ＲＸデータプロセッサ２４２によって処理されて、受信機システム２５０によって送信された逆方向リンクメッセージを抽出する。いくつかの実施形態では、送信機システム２１０のプロセッサ２３０は、次いで、将来の順方向リンク送信にどのプリコーディング行列を使用すべきかを判断し、次いで、抽出されたメッセージを処理する。他の実施形態では、プロセッサ２３０は、将来の順方向リンク送信のためのビームフォーミング重みを調整するために受信信号を使用する。
【００４９】
他の実施形態では、報告されたＣＳＩは、たとえば、１つまたは複数のデータストリームのために使用されるべきデータレートならびにコーディングおよび変調方式を判断するために、送信機システム２１０のプロセッサ２３０に供給され、使用され得る。判断されたコーディングおよび変調方式は、次いで、受信機システム２５０への後の送信における量子化および／または使用のために、送信機システム２１０にある１つまたは複数の送信機システムトランシーバ２２２ａ〜２２２ｔに供給され得る。追加および／または代替として、報告されたＣＳＩは、ＴＸデータプロセッサ２１４およびＴＸ  ＭＩＭＯプロセッサ２２０のための様々な制御を発生するために送信機システム２１０のプロセッサ２３０によって使用され得る。一例では、送信機システム２１０のＲＸデータプロセッサ２４２によって処理されるＣＳＩおよび／または他の情報は、データシンク２４４に供給され得る。
【００５０】
いくつかの実施形態では、送信機システム２１０にあるプロセッサ２３０および受信機システム２５０にあるプロセッサ２７０は、それらのそれぞれのシステムにおいて動作を指示し得る。さらに、送信機システム２１０にあるメモリ２３２および受信機システム２５０にあるメモリ２７２は、それぞれ送信機システムプロセッサ２３０および受信機システムプロセッサ２７０によって使用されるプログラムコードおよびデータの記憶域を与えることができる。さらに、受信機システム２５０において、ＮR個の受信信号を処理して、ＮT個の送信シンボルストリームを検出するために、様々な処理技法が使用できる。これらの受信機処理技法は、等化技法を含むことができる空間および時空間受信機処理技法、「逐次ヌル化／等化および干渉消去」受信機処理技法、および／または「逐次干渉消去」もしくは「逐次消去」受信機処理技法を含むことができる。
【００５１】
上記のように、ＬＴＥ  Ａｄｖａｎｃｅｄは、主に、基地局によって直接サービスされる場合に干渉を経験する可能性がある、セルのエッジにあるユーザ機器（ＵＥ）のために、基地局（ｅノードＢ）とＵＥとの間の仲介者として働くように、リレーノードの使用を企図する。図３に、様々な開示する実施形態が実装され得るシステム３００を示す。システム３００は、基地局３１０と、リレーノード３２０と、ユーザ機器３３０とを含む。基地局３１０は、ワイヤレスバックホールダウンリンク３４０とワイヤレスバックホールアップリンク３５０とを介してリレーノード３２０と通信する。リレーノード３２０は、ワイヤレスダウンリンク３７０とワイヤレスアップリンク３６０とを介してユーザ機器３３０と通信する。
【００５２】
基地局３１０は、ワイヤレスバックホールダウンリンク３４０を介してデータと制御信号とをリレーノードに送る送信機（ＴＸ）構成要素３１１と、ワイヤレスバックホールアップリンク３５０を介してリレーノード３２０からデータと制御信号とを受信する受信機（ＲＸ）構成要素３１２とを含み得る。基地局３１０はまた、リレーノード３２０に送信されるデータおよび制御信号のコーディングおよび変調を発生するコーディングおよび変調構成要素３１３を含み得る。
【００５３】
リレーノード３２０は、ワイヤレスバックホールダウンリンク３４０を介して基地局から、およびワイヤレスアップリンク３６０を介してユーザ機器３３０からデータと制御信号とを受信する受信機構成要素３２２を含み得る。リレーノード３２０はまた、ワイヤレスバックホールアップリンク３５０を介して基地局に、およびワイヤレスダウンリンク３７０を介してユーザ機器３３０にデータと制御信号とを送信する送信機構成要素３２１を含み得る。リレーノード３２０はまた、基地局３１０から受信されたデータと制御信号とを復調／復号し、ユーザ機器３３０に送られるデータと制御信号とを変調／符号化する変調／復調（モデム）および符号化／復号（コーデック）構成要素３２３を含み得る。
【００５４】
ユーザ機器３３０は、ワイヤレスダウンリンク３７０を介してリレーノード３２０からユーザデータとユーザ制御信号とを受信する受信機構成要素３３２を含み得る。ユーザ機器３３０はまた、ワイヤレスアップリンクチャネル３６０を介してユーザデータとユーザ制御信号とをリレーノード３２０に送信する送信機構成要素３３１を含み得る。ユーザ機器３３０はまた、それがリレーノード３２０または基地局３１０から受信したデータと制御信号とを復号し、復調する復号および復調構成要素３３３を含み得る。
【００５５】
ＬＴＥ  Ｒｅｌ−８における基本的時間周波数リソースは、時間領域における１つのサブフレーム（１ミリ秒）と、ワイヤレスダウンリンク３７０上の１５ｋＨｚ間隔の１２個の連続するＯＦＤＭ（直交周波数分割多重）サブキャリアとにわたるリソースブロック（ＲＢ）である。一実施形態では、ワイヤレスバックホールダウンリンク上の基本的時間周波数リソースもリソースブロックであるが、開示する実施形態の範囲内で他の時間周波数リソースユニットが企図されることを諒解されよう。図４に、ＬＴＥ  Ｒｅｌ−８の基本的時間周波数設計を示す。無線フレーム４００は、１０ミリ秒（ｍｓ）の持続時間を有し、周波数領域におけるいくつかのリソースブロック（ＲＢ）４０１と、時間領域における１１ｍｓサブフレームとにわたる。任意のＬＴＥ送信に使用されるＲＢの総数は、システム帯域幅（ＢＷ）に比例する。たとえば、５ＭＨｚシステム帯域幅は２５個のＲＢを必要とし、１０ＭＨｚシステム帯域幅は５０個のＲＢを必要とする（各送信ＢＷは、上位および下位のガードバンドを含む）。ＬＴＥ  Ｒｅｌ−８のために指定された最小のシステム帯域幅は図４に示すように１．４ＭＨｚ（６つのＲＢ）であり、最大の指定された伝送帯域幅は２０ＭＨｚ（１１０個のＲＢ）である。各リソースブロック４０１は２つのスロット４０３および４０４に分割され、各スロットはサイクリックプレフィックス（ＣＰ）の長さに応じて、ワイヤレスダウンリンク３７０上の６つまたは７つのＯＦＤＭシンボルにわたる。ＣＰ長は、マルチパス効果によるシンボル間干渉（ＩＳＩ）のレベルに基づいて選択される。マルチパス干渉が高いとき、拡張ＣＰがマルチパス信号を無相関化することを受け持ち、それにより信号品質が改善する。標準ＣＰでは、（図４に示すように）スロットごとに７つのＯＦＤＭシンボルがある。拡張ＣＰでは、スロットごとに６つのＯＦＤＭシンボルがある。
【００５６】
リソースの最小ユニットは、周波数領域における１つのサブキャリアと、時間領域における１つのシンボルとにわたるリソース要素４０２である。シンボル当たりのビットの数は、変調方式によって異なり、シンボル当たり２ビット（ＱＰＳＫ変調）からシンボル当たり６ビット（６４ＱＡＭ）まで変動することができる。ＬＴＥ  Ｒｅｌ−８では、制御に使用されるシンボルは、常に、ＬＴＥ  Ｒｅｌ−８におけるすべての許可された変調方式の干渉に対して最高の耐性を有するＱＰＳＫシンボルである。いくつかの送信モードでは（ＬＴＥ  Ｒｅｌ−８は、７つの異なる送信モードをサポートする）、リソースは、２つ以上のレイヤにおいて空間多重化され得る。
【００５７】
基地局からユーザ機器に送信された従来のＬＴＥ  Ｒｅｌ−８ダウンリンクリソースブロックでは、最初の３つのＯＦＤＭシンボル（シンボル１〜３）は、物理ダウンリンク制御チャネル（ＰＤＣＣＨ）、物理ハイブリッドＡＲＱインジケータチャネル（ＰＨＩＣＨ）および物理制御フォーマットインジケータチャネル（ＰＣＦＩＣＨ）などの制御信号のために予約される。第１のタイムスロット４０３中の次の４つのＯＦＤＭシンボル（シンボル４〜７）および第２のタイムスロット４０４中の次の７つのＯＦＤＭシンボル（シンボル８〜１４）は、ＵＥのためのデータペイロードを備える物理ダウンリンク共有データチャネル（ＰＤＳＣＨ）のために予約される。
【００５８】
従来のＬＴＥ  Ｒｅｌ−８ダウンリンクリソースブロック（ＲＢ）はまた、ＰＤＳＣＨ中のデータシンボル（リソース要素）と相互混合された復調基準シンボル（ＤＭ−ＲＳ）と共通基準シンボル（ＣＲＳ）とを含む。復調基準シンボルは、特定のＵＥのためにコーディングされた専用基準シンボル（以下ＤＲＳ）である。共通基準シンボルはセル固有（すなわち、基地局によってサービスされるすべてのＵＥに共通）である。ＤＲＳおよびＣＲＳは、ＵＥが、チャネル品質を推定し、それに応じてＵＥのデータシンボルを復号／復調することを可能にする。図５にそのようなＲＢ５００を示す。図５では、従来のＬＴＥ  Ｒｅｌ−８  ＲＢの制御領域５０１はＤＲＳを含んでいない。従来のＬＴＥ  Ｒｅｌ−８  ＲＢのＰＤＳＣＨ５０２は、ダウンリンク送信モードのランクに依存する、ＤＲＳ５０３の構成とＣＲＳ５０４の構成とを含む。ランクは、ダウンリンクで使用される空間レイヤの数の測度であり、基地局３１０などの基地局によってＵＥと通信するために使用されるアンテナの数に直接関係する。図５において、ＤＲＳおよびＣＲＳの構成は、ランク１送信のための例示的な構成である。
【００５９】
図６に、送信サブフレーム（たとえば、図４を参照）中で基地局３１０などの基地局からリレーノード３２０などのリレーノードに送信されるリソースブロックの例示的なアレイ６００を示す。ＲＢアレイ６００は、第２の複数の従来のリソースブロック５００で周波数多重化された第１の複数のリソースブロック５５０を備える。
【００６０】
一実施形態では、リレーノード３２０などのリレーノードは、送信サブフレームにおいて周波数多重化された第１の複数のリソースブロック５５０を受信し、第１の複数のリソースブロック５５０は全送信帯域幅未満にわたり、第１の複数のリソースブロック５５０は、第１の時間間隔５０８におけるＵＥ制御チャネル５２０および複数の制御シンボル５０５と、第２の時間間隔５０９におけるリレー制御チャネル５３０および第１の複数の専用基準シンボル５０３Ａと、第３の時間間隔５１０における共有データチャネル５４０および第２の複数の専用基準シンボル５０３Ｂとを含む。一実施形態では、リレーノード３２０は、リレー制御チャネル５３０からリレー制御情報５０７を復号し、共有データチャネル５４０からリレーデータとユーザデータ５０６とを復号するように構成される。
【００６１】
第２の時間間隔５０９は、リレー制御チャネル５３０からリレー制御情報を復号するように構成された複数の共通基準シンボル（ＣＲＳ）５０４Ａを含み得、第１の複数の専用基準シンボル５０３Ａは、共有データからリレーデータチャネル５４０を復号するように構成され得、第２の複数の専用基準シンボル５０３Ｂは、共有データチャネル５４０からリレーデータを復号するように構成され得る。
【００６２】
一実施形態では、第１の複数の専用基準シンボル５０３Ａと第２の複数の専用基準シンボル５０３Ｂとは、マルチレイヤ送信モードをサポートするように構成され得る。たとえば、専用基準シンボル５０３Ａまたは５０３Ｂによって占有される各ＯＦＤＭシンボルは、異なる空間レイヤ（たとえば、図６のＯＦＤＭシンボル６、７、１３および１４に示す４つのレイヤ）に各々対応し得る。一実施形態では、第１の複数の専用基準シンボル５０３Ａは、第１の空間レイヤにおいてリレー制御チャネル５３０からリレー制御情報を復号するように構成され得、第２の複数の専用基準シンボル５０３Ｂは、第２の空間レイヤにおいて共有データチャネル５４０からリレーデータを復号するように構成され得る。
【００６３】
一実施形態では、第１の複数の専用基準シンボル５０３Ａと第２の複数の専用基準シンボル５０３Ｂとは、リレー制御チャネルなしに、リソースブロック５００などのリソースブロック中の専用基準シンボルに一致するようにスクランブル（すなわち、コーディング）され、電力制御され得る。
【００６４】
一実施形態では、第１の複数の専用基準シンボル５０３Ａは、リレー制御チャネル５３０からリレー制御情報を復号するように構成され得、第２の複数の専用基準シンボル５０３Ｂは、共有データチャネル５４０からリレーデータを復号するように構成され得る。代替的に、第１の複数の専用基準シンボル５０３Ａと第２の複数の専用基準シンボル５０３Ｂとは、リレー制御チャネル５３０からリレー制御情報を一緒に復号するように構成され得る。別の実施形態では、第１の複数の専用基準シンボル５０３Ａと第２の複数の専用基準シンボル５０３Ｂとは、共有データチャネル５４０からリレーデータを一緒に復号するように構成され得る。
【００６５】
一実施形態では、リレーノードは、送信サブフレーム中の第２の複数のリソースブロック（たとえば、リソースブロック５００）を受信し、第２の複数のリソースブロックは、第２の時間間隔５０９および第３の時間間隔５１０における共有データチャネル５６０を備える。電力の変動を最小限に抑えるために、第２の時間間隔５０９において選択されたリソース要素の電力レベルは、第２の複数のリソースブロックの第２の時間間隔５０９と第３の時間間隔５１０とにおけるＯＦＤＭシンボルにわたって電力スペクトル密度を等化するように制御され得る。
【００６６】
一緒に、第１の複数のリソースブロックと第２の複数のリソースブロックとはシステムの全送信帯域幅にわたる。経時的電力変動（power fluctuations over time）を最小限に抑えるために、第１の複数のリソースブロックの第２の時間間隔５０９における選択されたリソース要素の電力レベルは、第１の時間間隔５０８、第２の時間間隔５０９および第３の時間間隔５１０におけるＯＦＤＭシンボルの全帯域幅にわたる電力スペクトル密度を等化するように制御され得る。
【００６７】
基地局３１０など、ドナーノードとして働いている基地局が、上記で説明したリソースブロック５００および５５０を送信するように構成され得ることを諒解されよう。
【００６８】
リレーノード（たとえば、リレーノード３２０）が、リソースブロック５００および５５０からリレー制御情報と複数のリレーデータとを受信し、復号した後、リレーノードは、リソースブロックを、たとえば、ＵＥ３３０などのユーザ機器にフォワーディング（すなわち、再送信）する。したがって、ユーザ機器の観点から、リレーノードは、データと制御情報とをダウンリンク（たとえば、３７０）において従来のＬＴＥフォーマットでＵＥ（たとえば、３３０）に送信する基地局として動作することができる。したがって、ＵＥは、リレーノードによって時間的に遅延され得る複数のリソースブロック（たとえば、５００）を受信する。ＵＥによって受信された複数のリソースブロックは、ＵＥ制御チャネル（たとえば、５２０）情報と、複数の共通基準シンボル（たとえば５０４Ａ）と、複数の専用基準シンボル（たとえば、５０３）と、複数の共有データチャネルユーザデータ（たとえば、５０６）とを備える。次いで、ＵＥは、第１の時間間隔５０８におけるＵＥ制御チャネル５２０から制御情報を復号し、第３の時間間隔５１０における共有データチャネル５６０からユーザデータを復号するように構成され得る。
【００６９】
いくつかの実施形態では、ＵＥは、共通基準シンボル５０４Ａおよび５０４Ｂと、専用基準シンボル５０３Ａおよび５０３Ｂとを再使用して、ユーザデータを復号するように構成され得る。一実施形態では、第１の複数の専用基準シンボル５０３Ａは、ＵＥによって受信された共有データチャネル５６０からユーザデータを復号するために使用され得る。別の実施形態では、第２の複数の専用基準シンボル５０３Ｂは、ＵＥによって受信された共有データチャネル５６０からユーザデータを復号するために使用され得る。別の実施形態では、第１の複数の専用基準シンボル５０３Ａと第２の複数の専用基準シンボル５０３Ｂとは、ＵＥによって受信された、共有データチャネル５６０からユーザデータを復号するために一緒に使用され得る。
【００７０】
さらに別の実施形態では、第１の複数の専用基準シンボル５０３Ａは、第１の空間レイヤにおいて共有データチャネル５６０からユーザデータを復号するためにＵＥによって使用され得、第２の複数の専用基準シンボル５０３Ｂは、第２の空間レイヤにおいて共有データチャネル５６０からユーザデータを復号するために使用され得る。
【００７１】
ＵＥはまた、同じ送信サブフレーム中の第２の複数のリソースブロック（たとえば、５００）を受信し得、第２の複数のリソースブロックは、第２の時間間隔５０９および第３の時間間隔５１０における共有データチャネル５６０を備える。そのような構成では、第２の時間間隔５０９におけるリソース要素のうちの少なくともいくつかはユーザデータを備える。上記で説明したように、第２の時間間隔５０９において選択されたリソース要素の電力レベルは、第２の複数のリソースブロックの第２の時間間隔５０９および第３の時間間隔５１０においてＯＦＤＭシンボルにわたって電力スペクトル密度を等化するように制御され得る。
【００７２】
さらに、たとえば、第２の時間間隔５０９におけるリソース要素のすべてがＵＥによって使用されるとは限らない（たとえば、リレーノードによって復号され、使用されたリソース要素のみ）ので、ＵＥに送信される選択されたリソース要素の電力レベルは、複数のリソースブロック５００が及ぶ全送信帯域幅にわたる第１の時間間隔５０８と、第２の時間間隔５０９と、第３の時間間隔５１０とにおけるＯＦＤＭシンボルにわたって電力スペクトル密度を等化するようにブーストされ得る。
【００７３】
図７は、一実施形態による、リレーノードにおける方法７００を示すフローチャートである。方法７００は、リレーノードが、送信サブフレームにおいて周波数多重化された第１の複数のリソースブロックを受信する動作７０２において開始し、第１の複数のリソースブロックは全送信帯域幅未満にわたり、第１の複数のリソースブロックは、第１の時間間隔におけるユーザ機器（ＵＥ）制御チャネルと、第２の時間間隔におけるリレー制御チャネルおよび第１の複数の専用基準シンボルと、第３の時間間隔における共有データチャネルおよび第２の複数の専用基準シンボルとを備える。第１の複数のリソースブロックはまた、第１の時間間隔における複数の共通基準シンボルを備え得る。動作７０４において、リレーノードはリレー制御チャネルからリレー制御情報を復号し、動作７０６において、リレーノードは共有データチャネルからリレーデータとユーザデータとを復号する。
【００７４】
図８は、一実施形態による、基地局における方法８００を示すフローチャートである。方法８００は、基地局が、送信サブフレームにおいて周波数多重化された第１の複数のリソースブロックを送信する動作８０２において開始し、第１の複数のリソースブロックは全送信帯域幅未満にわたり、第１の複数のリソースブロックは、第１の時間間隔におけるＵＥ制御チャネルと、第２の時間間隔におけるリレー制御チャネルおよび第１の複数の専用基準シンボルと、第３の時間間隔における共有データチャネルおよび第２の複数の専用基準シンボルとを備え、リレー制御チャネルはリレー制御情報を備え、共有データチャネルはリレーデータとユーザデータとを備える。第１の複数のリソースブロックはまた、第１の時間間隔における複数の共通基準シンボルを備え得る。方法は、基地局が、第２および第３の時間間隔における共有データチャネルを備える第２の複数のリソースブロックを送信サブフレームにおいて送信する動作８０４において終わり、第２の時間間隔における選択されたリソース要素の電力レベルは、第２の複数のリソースブロックの第２の時間間隔および第３の時間間隔におけるＯＦＤＭシンボルにわたって電力スペクトル密度を等化するように制御される。
【００７５】
図９は、一実施形態による、ユーザ機器（ＵＥ）における方法９００を示すフローチャートである。方法９００は、ＵＥが複数のリソースブロックを受信する動作９０２において開始し、複数のリソースブロックは、第１の時間間隔におけるＵＥ制御チャネルと、第２の時間間隔における第１の複数の専用基準シンボルと、第３の時間間隔における共有データチャネルおよび第２の複数の専用基準シンボルとを備える。複数のリソースブロックはまた、第１の時間間隔における複数の共通基準シンボルを備え得る。動作９０４において、ＵＥは、第１の時間間隔におけるＵＥ制御チャネルから制御情報を復号する。動作９０６において、ＵＥは、第２および／または第３の時間間隔における共有データチャネルからユーザデータを復号する。
【００７６】
図１０に、様々な開示する実施形態が実装され得る装置１０００を示す。特に、図１０に示す装置１０００は、（図３に示すリレーノード３２０、基地局３１０およびユーザ機器３３０など）リレーノードの少なくとも一部分、ユーザ機器の少なくとも一部分または基地局の少なくとも一部分、および／または（図２に示す送信機システム２１０および受信機システム２５０など）送信機システムまたは受信機システムの少なくとも一部分を備え得る。図１０に示す装置１０００は、ワイヤレスネットワーク内に常駐し、たとえば、１つまたは複数の受信機および／または適切な受信および復号回路（たとえば、アンテナ、トランシーバ、復調器など）を介して着信データを受信することができる。図１０に示す装置１０００はまた、たとえば、１つまたは複数の送信機および／または適切な符号化および送信回路（たとえば、アンテナ、トランシーバ、変調器など）を介して発信データを送信することができる。追加または代替として、図１０に示す装置１０００は、ワイヤードネットワーク内に常駐し得る。
【００７７】
さらに、図１０に、装置１０００が、信号調整、分析など、１つまたは複数の動作を実行するための命令を保持することができるメモリ１００２を含むことができることを示す。さらに、図１０の装置１０００は、メモリ１００２に記憶された命令および／または別のデバイスから受信した命令を実行することができるプロセッサ１００４を含み得る。命令は、たとえば、装置１０００または関係する通信装置を構成するまたは動作させることに関係することができる。図１０に示すメモリ１００２は単一のブロックとして示されているが、別個の物理および／または論理ユニットを構成する２つ以上の別個のメモリを備え得ることに留意されたい。さらに、メモリは、プロセッサ１００４に通信可能に結合されているものとして示されているが、完全にまたは部分的に、図１０に示す装置１０００の外部に常駐し得る。また、図３に示すコーディングおよび変調構成要素３１３、コーデック／モデム構成要素３２３ならびに復号および復調構成要素３３３など、１つまたは複数の構成要素がメモリ１００２などのメモリ内に存在することができることを理解されたい。
【００７８】
図６が、本出願の開示されたシステムおよび方法において利用され得るリソースブロックのアレイにおける１つの例示的なＤＲＳパターンを表し、開示する実施形態が、追加または代替のＤＲＳパターンに関連して容易に実装され得ることに留意されたい。たとえば、図１１〜図１６に、開示する実施形態に従って使用され得る追加の例示的なＤＲＳパターンを示す。特に、図１１に、４つの専用基準シンボル５０３の６つのグループ（すなわち、２４個）と２４個の共通基準シンボル５０４とを備える（通常のサイクリックプレフィックスをもつ）リソースブロックのアレイ１１００を示す。図１２に、低減された数（すなわち、１２個）のＤＲＳシンボルを含む専用基準シンボル５０３の代替のパターンをもつ、リソースブロックの別のアレイ１２００を示す。
【００７９】
図１３に、１１個または１２個のＯＦＤＭシンボルをもつ特殊なサブフレーム（たとえば、ダウンリンクパイロットタイムスロット（ＤｗＰＴＳ））において使用され得る、基準シンボルの別のパターンをもつ、リソースブロックの別の例示的なアレイ１３００を示す。図１４に、９つまたは１０個のＯＦＤＭシンボルをもつＤｗＰＴＳにおいて使用され得る、基準シンボルのパターンをもつ、リソースブロックのさらに別の例示的なアレイ１４００を示す。開示する実施形態は、拡張サイクリックプレフィックスをもつサブフレームにおいて使用される、基準シンボルの異なるパターンに関連してさらに使用され得る。たとえば、図１５に、専用基準シンボル５０３の千鳥状パターン（staggered pattern）を利用する拡張プレフィックスをもつリソースブロックのアレイ１５００を示す。図１６に、８つ、９つまたは１０個のＯＦＤＭシンボルをもつ特殊なサブフレーム（たとえば、ＤｗＰＴＳ）に関連するリソースブロックの例示的なアレイ１６００をさらに示す。図１５および図１６は、ランク１および２のために使用され得る。図６および図１１〜図１６は、いくつかの例示的な基準信号パターンを示しており、開示する実施形態は、添付の図に明示的に示されていない追加の基準信号パターンに関連して使用され得ることに留意されたい。
【００８０】
開示する実施形態に関連して説明したメモリは、揮発性メモリもしくは不揮発性メモリとすることができ、または揮発性メモリと不揮発性メモリの両方を含むことができることを諒解されたい。限定ではなく例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、またはフラッシュメモリを含むことができる。揮発性メモリは、外部キャッシュメモリとして動作し得るランダムアクセスメモリ（ＲＡＭ）を含むことができる。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ（登録商標））など、多くの形態が利用可能である。
【００８１】
また、図１０の装置１０００は、ユーザ機器またはモバイルデバイスとともに採用され得、たとえば、ＳＤカード、ネットワークカード、ワイヤレスネットワークカード、（ラップトップ、デスクトップ、携帯情報端末（ＰＤＡ）を含む）コンピュータ、モバイルフォン、スマートフォン、またはネットワークにアクセスするために利用され得る任意の他の好適な端末などのモジュールとすることができることに留意されたい。ユーザ機器は、アクセス構成要素（図示せず）を介してネットワークにアクセスする。一例では、ユーザ機器とアクセス構成要素との間の接続は本質的にワイヤレスであり得、アクセス構成要素は基地局であり得、ユーザ機器はワイヤレス端末である。たとえば、端末と基地局とは、限定はしないが、時間分割多元接続（ＴＤＭＡ）、符号分割多元接続（ＣＤＭＡ）、周波数分割多元接続（ＦＤＭＡ）、直交周波数分割多重（ＯＦＤＭ）、ＦＬＡＳＨ  ＯＦＤＭ、直交周波数分割多元接続（ＯＦＤＭＡ）、または任意の他の好適なプロトコルを含む、任意の好適なワイヤレスプロトコルを介して通信し得る。
【００８２】
アクセス構成要素は、ワイヤードネットワークまたはワイヤレスネットワークに関連付けられたアクセスノードであり得る。そのために、アクセス構成要素は、たとえば、ルータ、スイッチなどであり得る。アクセス構成要素は、他のネットワークノードと通信するための１つまたは複数のインターフェース、たとえば、通信モジュールを含むことができる。さらに、アクセス構成要素はセルラータイプのネットワーク中の基地局（またはワイヤレスアクセスポイント）とすることができ、基地局（またはワイヤレスアクセスポイント）は複数の加入者にワイヤレスカバレージエリアを与えるために利用される。そのような基地局（またはワイヤレスアクセスポイント）は、１つまたは複数のセルラー電話および／または他のワイヤレス端末にカバレージの連続するエリアを与えるように構成され得る。
【００８３】
本明細書で説明する実施形態および特徴は、ハードウェア、ソフトウェア、ファームウェア、またはそれらの任意の組合せによって実装され得ることを理解されたい。本明細書で説明する様々な実施形態は、ネットワーク化された環境においてコンピュータ／プロセッサによって実行される、プログラムコードなどのコンピュータ実行可能命令を含むコンピュータ可読媒体において実施されるコンピュータプログラム製品によって一実施形態では実装され得る、方法またはプロセスの概略的なコンテキストで説明する。メモリおよび／またはコンピュータ可読媒体は、限定はしないが、読取り専用メモリ（ＲＯＭ）、ランダムアクセスメモリ（ＲＡＭ）、コンパクトディスク（ＣＤ）、デジタル多用途ディスク（ＤＶＤ）などを含む、取外し可能および取外し不可能なストレージデバイスを含み得る。ソフトウェアで実装されるとき、機能は、１つまたは複数の命令またはコードとしてコンピュータ可読媒体に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。
【００８４】
また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、この場合、ディスク（disk）は、通常、データを磁気的に再生し、ディスク（disc）はデータをレーザで光学的に再生する。上記の組合せもコンピュータ可読媒体の範囲内に含めるべきである。
【００８５】
概して、プログラムモジュールは、特定のタスクを実行するか、または特定の抽象データ型を実装する、ルーチン、プログラム、オブジェクト、構成要素、データ構造などを含み得る。コンピュータ実行可能命令、関連するデータ構造およびプログラムモジュールは、本明細書で開示する方法のステップを実行するためのプログラムコードの例を表す。そのような実行可能命令または関連するデータ構造の特定のシーケンスは、そのようなステップまたはプロセスで説明する機能を実装するための対応する行為の例を表す。
【００８６】
本明細書で開示した態様に関して説明した様々な例示的な論理、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。さらに、少なくとも１つのプロセッサは、説明したステップおよび／またはアクションの１つまたは複数を実行するように動作可能な１つまたは複数のモジュールを備え得る。
【００８７】
ソフトウェア実装の場合、本明細書で説明する技法は、本明細書で説明する機能を実行するモジュール（たとえば、プロシージャ、関数など）を用いて実装され得る。ソフトウェアコードは、メモリユニットに記憶され、プロセッサによって実行され得る。メモリユニットは、プロセッサの内部および／またはプロセッサの外部に実装され得、その場合、当技術分野で知られているように様々な手段を介してプロセッサに通信可能に結合され得る。さらに、少なくとも１つのプロセッサは、本明細書で説明した機能を実行するように動作可能な１つまたは複数のモジュールを含み得る。
【００８８】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用され得る。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、Ｗｉｄｅｂａｎｄ−ＣＤＭＡ（Ｗ−ＣＤＭＡ）およびＣＤＭＡの他の変形態を含む。さらに、ｃｄｍａ２０００は、ＩＳ−２０００、ＩＳ−９５およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）などの無線技術を実装することができる。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（ＷｉＦｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用するＥ−ＵＴＲＡを使用するＵＭＴＳのリリースである。ＵＴＲＡ、Ｅ−ＵＴＲＡ、ＵＭＴＳ、ＬＴＥおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する組織からの文書に記載されている。さらに、ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に記載されている。さらに、そのようなワイヤレス通信システムは、不対無資格スペクトル、８０２．ｘｘワイヤレスＬＡＮ、ＢＬＵＥＴＯＯＴＨ（登録商標）および任意の他の短距離または長距離ワイヤレス通信技法をしばしば使用するピアツーピア（たとえば、ユーザ機器ツーユーザ機器）アドホックネットワークシステムをさらに含み得る。
【００８９】
シングルキャリア変調および周波数領域等化を利用するシングルキャリア周波数分割多元接続（ＳＣ−ＦＤＭＡ）は、開示する実施形態とともに利用され得る技法である。ＳＣ−ＦＤＭＡは、ＯＦＤＭＡシステムと同様のパフォーマンスおよび本質的に同じ全体的な複雑さを有する。ＳＣ−ＦＤＭＡ信号は、その特有のシングルキャリア構造のためにより低いピーク対平均電力比（ＰＡＰＲ）を有する。ＳＣ−ＦＤＭＡは、より低いＰＡＰＲが送信電力効率の点でユーザ機器に利益を与えることができるアップリンク通信において利用され得る。
【００９０】
さらに、本明細書で説明する様々な態様または特徴は、標準のプログラミングおよび／またはエンジニアリング技法を使用した方法、装置または製造品として実装され得る。本明細書で使用する「製造品」という用語は、任意のコンピュータ可読デバイス、キャリア、または媒体からアクセス可能なコンピュータプログラムを包含するものとする。たとえば、コンピュータ可読媒体は、磁気ストレージデバイス（たとえば、ハードディスク、フロッピーディスク、磁気ストリップなど）、光ディスク（たとえば、コンパクトディスク（ＣＤ）、デジタル多用途ディスク（ＤＶＤ）など）、スマートカード、およびフラッシュメモリデバイス（たとえば、ＥＰＲＯＭ、カード、スティック、キードライブなど）を含むことができるが、これらに限定されない。さらに、本明細書で説明する様々な記憶媒体は、情報を記憶するための１つまたは複数のデバイスおよび／または他の機械可読媒体を表すことができる。「機械可読媒体」という用語は、ワイヤレスチャネル、ならびに（１つまたは複数の）命令および／またはデータを記憶、含有、および／または搬送することが可能な様々な他の媒体を含むことができるが、これらに限定されない。さらに、コンピュータプログラム製品は、本明細書で説明した機能をコンピュータに実行させるように動作可能な１つまたは複数の命令またはコードを有するコンピュータ可読媒体を含み得る。
【００９１】
さらに、本明細書で開示する態様に関して説明する方法またはアルゴリズムのステップおよび／またはアクションは、直接ハードウェアで実施され得るか、プロセッサによって実行されるソフトウェアモジュールで実施され得るか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるようにプロセッサに結合され得る。代替として、記憶媒体はプロセッサに一体化され得る。さらに、いくつかの実施形態では、プロセッサおよび記憶媒体はＡＳＩＣ中に常駐し得る。さらに、ＡＳＩＣはユーザ機器中に常駐し得る（たとえば、図３の３３０）。代替として、プロセッサおよび記憶媒体はユーザ機器中の個別構成要素として常駐し得る。さらに、いくつかの実施形態では、方法またはアルゴリズムのステップおよび／またはアクションは、コンピュータプログラム製品に組み込み得る、機械可読媒体および／またはコンピュータ可読媒体上のコードおよび／または命令の１つまたは任意の組合せ、あるいはそのセットとして常駐し得る。
【００９２】
上記の開示は、例示的な実施形態について論じたが、添付の特許請求の範囲によって定義された記載の実施形態の範囲から逸脱することなく、様々な変更および改変を本明細書で行うことができることに留意されたい。したがって、説明した実施形態は、添付の特許請求の範囲内に入るすべてのそのような改変形態、変更形態および変形形態を包含するものとする。さらに、説明した実施形態の要素は、単数形で説明または請求されていることがあるが、単数形に限定されることが明示的に述べられていない限り、複数形が企図される。さらに、任意の実施形態の全部または一部は、別段に記載されていない限り、任意の他の実施形態の全部または一部とともに利用され得る。
【００９３】
「含む（include）」という用語は、発明を実施するための形態または特許請求の範囲のいずれかで使用される限り、「備える（comprising）」という用語が使用時に請求項における移行語と解釈されるので「備える（comprising）」と同様に包括的なものとする。さらに、発明を実施するための形態または特許請求の範囲のいずれかで使用される「または」という用語は、排他的な「または」でなく包括的な「または」を意味するものとする。すなわち、別段の規定がない限り、または文脈から明白でない限り、「ＸはＡまたはＢを使用する」という句は、自然な包括的置換のいずれかを意味するものとする。すなわち、「ＸはＡまたはＢを使用する」という句は、ＸがＡを使用する場合、ＸがＢを使用する場合、またはＸがＡとＢの両方を使用する場合のいずれによっても満たされる。さらに、本出願および添付の特許請求の範囲で使用する冠詞「ａ」および「ａｎ」は、別段の規定がない限り、または単数形を示すことが文脈から明白でない限り、概して「１つまたは複数」を意味するものと解釈すべきである。
以下に本件出願当初の特許請求の範囲を付記する。
［Ｃ１］
送信サブフレームにおいて周波数多重化された第１の複数のリソースブロックを受信することと、ここで、前記第１の複数のリソースブロックが全送信帯域幅未満にわたり、前記第１の複数のリソースブロックが、第１の時間間隔におけるユーザ機器（ＵＥ）制御チャネルと、第２の時間間隔におけるリレー制御チャネルおよび第１の複数の専用基準シンボルと、第３の時間間隔における共有データチャネルおよび第２の複数の専用基準シンボルとを備える、
前記リレー制御チャネルからリレー制御情報を復号することと、
前記共有データチャネルからリレーデータとユーザデータとを復号することと
を備える、方法。
［Ｃ２］
前記第２の時間間隔が、前記リレー制御チャネルから前記リレー制御情報を復号するように構成された複数の共通基準シンボルをさらに備える、［Ｃ１］に記載の方法。
［Ｃ３］
前記第１の複数の専用基準シンボルが、前記共有データチャネルから前記リレーデータを復号するように構成された、［Ｃ２］に記載の方法。
［Ｃ４］
前記第２の複数の専用基準シンボルが、前記共有データチャネルから前記リレーデータを復号するように構成された、［Ｃ３］に記載の方法。
［Ｃ５］
前記第１の複数の専用基準シンボルおよび前記第２の複数の専用基準シンボルが、マルチレイヤ送信モードをサポートするように構成された、［Ｃ１］に記載の方法。
［Ｃ６］
前記第１の複数のおよび前記第２の複数の専用基準シンボルが、リレー制御チャネルのないリソースブロック中の専用基準シンボルに一致するようにスクランブルされ、電力制御される、［Ｃ１］に記載の方法。
［Ｃ７］
前記第１の複数の専用基準シンボルが、前記リレー制御チャネルから前記リレー制御情報を復号するように構成され、前記第２の複数の専用基準シンボルが、前記共有データチャネルから前記リレーデータを復号するように構成された、［Ｃ１］に記載の方法。
［Ｃ８］
前記第１の複数のおよび前記第２の複数の専用基準シンボルが、前記リレー制御チャネルから前記リレー制御情報を復号するように構成された、［Ｃ１］に記載の方法。
［Ｃ９］
前記第１の複数のおよび前記第２の複数の専用基準シンボルが、前記共有データチャネルから前記リレーデータを復号するように構成された、［Ｃ１］に記載の方法。
［Ｃ１０］
前記第１の複数の専用基準シンボルが、第１の空間レイヤにおいて前記リレー制御チャネルから前記リレー制御情報を復号するように構成され、前記第２の複数の専用基準シンボルが、第２の空間レイヤにおいて前記共有データチャネルから前記リレーデータを復号するように構成された、［Ｃ１］に記載の方法。
［Ｃ１１］
ＵＥ制御情報と前記ユーザデータとをユーザ機器にフォワーディングすることをさらに備える、［Ｃ１］に記載の方法。
［Ｃ１２］
前記第２および第３の時間間隔における共有データチャネルを備える第２の複数のリソースブロックを前記送信サブフレームにおいて受信することと、ここで、前記第２の時間間隔における選択されたリソース要素の電力レベルが、前記第２の複数のリソースブロックの前記第２の時間間隔および前記第３の時間間隔におけるＯＦＤＭシンボルにわたって電力スペクトル密度を等化するように制御される、
をさらに備える、［Ｃ１］に記載の方法。
［Ｃ１３］
前記第１の複数のリソースブロックと前記第２の複数のリソースブロックとが共同して前記全送信帯域幅にわたり、前記第１の複数のリソースブロックの前記第２の時間間隔における選択されたリソース要素の電力レベルが、前記第１の時間間隔と、前記第２の時間間隔と、前記第３の時間間隔とにおけるＯＦＤＭシンボルにわたって前記電力スペクトル密度を等化するように制御される、［Ｃ１２］に記載の方法。
［Ｃ１４］
送信サブフレームにおいて周波数多重化された第１の複数のリソースブロックを受信するための手段と、ここで、前記第１の複数のリソースブロックが全送信帯域幅未満にわたり、前記第１の複数のリソースブロックが、第１の時間間隔におけるＵＥ制御チャネルと、第２の時間間隔におけるリレー制御チャネルおよび第１の複数の専用基準シンボルと、第３の時間間隔における共有データチャネルおよび第２の複数の専用基準シンボルとを備える、
前記リレー制御チャネルからリレー制御情報を復号するための手段と、
前記共有データチャネルからリレーデータとユーザデータとを復号するための手段と
を備える、リレーノード。
［Ｃ１５］
前記第２および第３の時間間隔における共有データチャネルを備える第２の複数のリソースブロックを前記送信サブフレームにおいて受信するための手段をさらに備え、前記第２の時間間隔における選択されたリソース要素の電力レベルが、前記第２の複数のリソースブロックの前記第２の時間間隔および前記第３の時間間隔におけるＯＦＤＭシンボルにわたって電力スペクトル密度を等化するように制御される、［Ｃ１４］に記載のリレーノード。
［Ｃ１６］
前記第１の複数のリソースブロックと前記第２の複数のリソースブロックとが共同して前記全送信帯域幅にわたり、前記第１の複数のリソースブロックの前記第２の時間間隔における選択されたリソース要素の電力レベルが、前記第１の時間間隔と、前記第２の時間間隔と、前記第３の時間間隔とにおけるＯＦＤＭシンボルにわたって前記電力スペクトル密度を等化するように制御される、［Ｃ１５］に記載のリレーノード。
［Ｃ１７］
送信サブフレームにおいて周波数多重化された第１の複数のリソースブロックを受信するためのプログラムコードと、ここで、前記第１の複数のリソースブロックが全送信帯域幅未満にわたり、前記第１の複数のリソースブロックが、第１の時間間隔におけるＵＥ制御チャネルと、第２の時間間隔におけるリレー制御チャネルおよび第１の複数の専用基準シンボルと、第３の時間間隔における共有データチャネルおよび第２の複数の専用基準シンボルとを備える、
前記リレー制御チャネルからリレー制御情報を復号するためのプログラムコードと、
前記共有データチャネルからリレーデータとユーザデータとを復号するためのプログラムコードと
を備える、非一時的コンピュータ可読記憶媒体に組み込まれる、コンピュータプログラム製品。
［Ｃ１８］
前記第２および第３の時間間隔における共有データチャネルを備える第２の複数のリソースブロックを前記送信サブフレームにおいて受信するためのプログラムコードをさらに備え、前記第２の時間間隔における選択されたリソース要素の電力レベルが、前記第２の複数のリソースブロックの前記第２の時間間隔および前記第３の時間間隔におけるＯＦＤＭシンボルにわたって電力スペクトル密度を等化するように制御される、［Ｃ１７］に記載のコンピュータプログラム製品。
［Ｃ１９］
前記第１の複数のリソースブロックと前記第２の複数のリソースブロックとが共同して前記全送信帯域幅にわたり、前記第１の複数のリソースブロックの前記第２の時間間隔における選択されたリソース要素の電力レベルが、前記第１の時間間隔と、前記第２の時間間隔と、前記第３の時間間隔とにおけるＯＦＤＭシンボルにわたって前記電力スペクトル密度を等化するように制御される、［Ｃ１８］に記載のコンピュータプログラム製品。
［Ｃ２０］
リレーノードであって、
プロセッサと、
前記プロセッサによって実行されたとき、
送信サブフレームにおいて周波数多重化された第１の複数のリソースブロックを受信することと、ここで、前記第１の複数のリソースブロックが全送信帯域幅未満にわたり、前記第１の複数のリソースブロックが、第１の時間間隔におけるＵＥ制御チャネルと、第２の時間間隔におけるリレー制御チャネルおよび第１の複数の専用基準シンボルと、第３の時間間隔における共有データチャネルおよび第２の複数の専用基準シンボルとを備える、
前記リレー制御チャネルからリレー制御情報を復号することと、
前記共有データチャネルからリレーデータとユーザデータとを復号することと
を行うように前記リレーノードを構成するプロセッサ実行可能命令を備えるメモリと
を備える、リレーノード。
［Ｃ２１］
前記プロセッサ実行可能命令は、前記プロセッサによって実行されたとき、
前記第２および第３の時間間隔における共有データチャネルを備える第２の複数のリソースブロックを前記送信サブフレームにおいて受信し、前記第２の時間間隔における選択されたリソース要素の電力レベルが、前記第２の複数のリソースブロックの前記第２の時間間隔および前記第３の時間間隔におけるＯＦＤＭシンボルにわたって電力スペクトル密度を等化するように制御される、
ように前記リレーノードをさらに構成する、［Ｃ２０］に記載のリレーノード。
［Ｃ２２］
前記第１の複数のリソースブロックと前記第２の複数のリソースブロックとが共同して前記全送信帯域幅にわたり、前記第１の複数のリソースブロックの前記第２の時間間隔における選択されたリソース要素の電力レベルが、前記第１の時間間隔と、前記第２の時間間隔と、前記第３の時間間隔とにおけるＯＦＤＭシンボルにわたって前記電力スペクトル密度を等化するように制御される、［Ｃ２１］に記載のリレーノード。
［Ｃ２３］
送信サブフレームにおいて周波数多重化された第１の複数のリソースブロックを送信することであって、前記第１の複数のリソースブロックが全送信帯域幅未満にわたり、前記第１の複数のリソースブロックが、第１の時間間隔におけるＵＥ制御チャネルと、第２の時間間隔におけるリレー制御チャネルおよび第１の複数の専用基準シンボルと、第３の時間間隔における共有データチャネルおよび第２の複数の専用基準シンボルとを備え、前記リレー制御チャネルがリレー制御情報を備え、前記共有データチャネルがリレーデータとユーザデータとを備える、
方法。
［Ｃ２４］
前記第２および第３の時間間隔における共有データチャネルを備える第２の複数のリソースブロックを前記送信サブフレームにおいて送信することをさらに備え、前記第２の時間間隔における選択されたリソース要素の電力レベルが、前記第２の複数のリソースブロックの前記第２の時間間隔および前記第３の時間間隔におけるＯＦＤＭシンボルにわたって電力スペクトル密度を等化するように制御される、
［Ｃ２３］に記載の方法。
［Ｃ２５］
前記第１の複数のリソースブロックと前記第２の複数のリソースブロックとが共同して前記全送信帯域幅にわたり、前記第１の複数のリソースブロックの前記第２の時間間隔における選択されたリソース要素の電力レベルが、前記第１の時間間隔と、前記第２の時間間隔と、前記第３の時間間隔とにおけるＯＦＤＭシンボルにわたって前記電力スペクトル密度を等化するように制御される、［Ｃ２４］に記載の方法。
［Ｃ２６］
送信サブフレームにおいて周波数多重化された第１の複数のリソースブロックを送信するための手段と、ここで、前記第１の複数のリソースブロックが全送信帯域幅未満にわたり、前記第１の複数のリソースブロックが、第１の時間間隔におけるＵＥ制御チャネルと、第２の時間間隔におけるリレー制御チャネルおよび第１の複数の専用基準シンボルと、第３の時間間隔における共有データチャネルおよび第２の複数の専用基準シンボルとを備え、前記リレー制御チャネルがリレー制御情報を備え、前記共有データチャネルがリレーデータとユーザデータとを備える、
前記第２および第３の時間間隔における共有データチャネルを備える第２の複数のリソースブロックを前記送信サブフレームにおいて送信するための手段と、ここで、前記第２の時間間隔における選択されたリソース要素の電力レベルが、前記第２の複数のリソースブロックの前記第２の時間間隔および前記第３の時間間隔におけるＯＦＤＭシンボルにわたって電力スペクトル密度を等化するように制御される、
を備える、基地局。
［Ｃ２７］
前記第１の複数のリソースブロックと前記第２の複数のリソースブロックとが共同して前記全送信帯域幅にわたり、前記第１の複数のリソースブロックの前記第２の時間間隔における選択されたリソース要素の電力レベルが、前記第１の時間間隔と、前記第２の時間間隔と、前記第３の時間間隔とにおけるＯＦＤＭシンボルにわたって前記電力スペクトル密度を等化するように制御される、［Ｃ２６］に記載の基地局。
［Ｃ２８］
送信サブフレームにおいて周波数多重化された第１の複数のリソースブロックを送信するためのプログラムコードを備え、ここで、前記第１の複数のリソースブロックが全送信帯域幅未満にわたり、前記第１の複数のリソースブロックが、第１の時間間隔におけるＵＥ制御チャネルと、第２の時間間隔におけるリレー制御チャネルおよび第１の複数の専用基準シンボルと、第３の時間間隔における共有データチャネルおよび第２の複数の専用基準シンボルとを備え、前記リレー制御チャネルがリレー制御情報を備え、前記共有データチャネルがリレーデータとユーザデータとを備える、
非一時的コンピュータ可読記憶媒体に組み込まれる、コンピュータプログラム製品。
［Ｃ２９］
前記第２および第３の時間間隔における共有データチャネルを備える第２の複数のリソースブロックを前記送信サブフレームにおいて送信するためのプログラムコードをさらに備え、前記第２の時間間隔における選択されたリソース要素の電力レベルが、前記第２の複数のリソースブロックの前記第２の時間間隔および前記第３の時間間隔におけるＯＦＤＭシンボルにわたって電力スペクトル密度を等化するように制御される、［Ｃ２９］に記載のコンピュータプログラム製品。
［Ｃ３０］
前記第１の複数のリソースブロックと前記第２の複数のリソースブロックとが共同して前記全送信帯域幅にわたり、前記第１の複数のリソースブロックの前記第２の時間間隔における選択されたリソース要素の電力レベルが、前記第１の時間間隔と、前記第２の時間間隔と、前記第３の時間間隔とにおけるＯＦＤＭシンボルにわたって前記電力スペクトル密度を等化するように制御される、［Ｃ２９］に記載のコンピュータプログラム製品。
［Ｃ３１］
基地局であって、
プロセッサと、
前記プロセッサによって実行されたとき、
送信サブフレームにおいて周波数多重化された第１の複数のリソースブロックを送信と、ここで、前記第１の複数のリソースブロックが全送信帯域幅未満にわたり、前記第１の複数のリソースブロックが、第１の時間間隔におけるＵＥ制御チャネルと、第２の時間間隔におけるリレー制御チャネルおよび第１の複数の専用基準シンボルと、第３の時間間隔における共有データチャネルおよび第２の複数の専用基準シンボルとを備え、前記リレー制御チャネルがリレー制御情報を備え、前記共有データチャネルがリレーデータとユーザデータとを備える、
前記第２および第３の時間間隔における共有データチャネルを備える第２の複数のリソースブロックを前記送信サブフレームにおいて送信することと、ここで、前記第２の時間間隔における選択されたリソース要素の電力レベルが、前記第２の複数のリソースブロックの前記第２の時間間隔および前記第３の時間間隔におけるＯＦＤＭシンボルにわたって電力スペクトル密度を等化するように制御される、
を行うように前記基地局を構成するプロセッサ実行可能命令を備えるメモリと
を備える、基地局。
［Ｃ３２］
前記第１の複数のリソースブロックと前記第２の複数のリソースブロックとが共同して前記全送信帯域幅にわたり、前記第１の複数のリソースブロックの前記第２の時間間隔における選択されたリソース要素の電力レベルが、前記第１の時間間隔と、前記第２の時間間隔と、前記第３の時間間隔とにおけるＯＦＤＭシンボルにわたって前記電力スペクトル密度を等化するように制御される、［Ｃ３１］に記載の基地局。
【図１】
0005450829.tif 000002
【図２】
0005450829.tif 000003
【図３】
0005450829.tif 000004
【図４】
0005450829.tif 000005
【図５】
0005450829.tif 000006
【図６】
0005450829.tif 000007
【図７】
0005450829.tif 000008
【図８】
0005450829.tif 000009
【図９】
0005450829.tif 000010
【図１０】
0005450829.tif 000011
【図１１】
0005450829.tif 000012
【図１２】
0005450829.tif 000013
【図１３】
0005450829.tif 000014
【図１４】
0005450829.tif 000015
【図１５】
0005450829.tif 000016
【図１６】
0005450829.tif 000017